(57)【特許請求の範囲】
【請求項１】
放送用電波を中継する中継局に出向する出向者支援用のデータベースシステムであって、
前記中継局の中継設備を特定する設備データ、前記中継局周辺に定められた当該中継局までの案内ルートを含む地図を表す地図データ、前記案内ルートに関連して定められた一または二以上の案内ポイントの位置データ、前記中継局から中継された電波測定用の一または二以上の測定ポイントを示す地図を表す測定ポイント用地図データ、前記測定ポイントの位置データが、前記中継局の識別データと共に互いに関連付けられて構築された出向者支援用データベースを記憶するデータベース記憶手段を備えたことを特徴とする出向者支援用データベースシステム。
【請求項２】
前記出向者支援用データベースは、前記各案内ポイントの周囲の景色を示す画像データ、前記各測定ポイントの周囲の景色を示す画像データおよび前記各測定ポイントでの測定状態を含む画像データをさらに含み、前記各案内ポイントの周囲の景色を示す画像データ、前記各測定ポイントの景色の状況を示す画像データおよび前記各測定ポイントでの測定状態を含む画像データは、対応する各測定ポイントの位置データに関連付けられていることを特徴とする請求項１記載の出向者支援用データベースシステム。
【請求項３】
前記出向者支援用データベースは、前記各測定ポイントでの測定基準値を表す測定基準データをさらに含み、当該各測定ポイントの測定基準データは、対応する各測定ポイントの位置データに関連付けられていることを特徴とする請求項２記載の出向者支援用データベースシステム。
【請求項４】
前記中継局は一または二以上の中継局であり、
前記出向者支援用データベースは、各中継局の中継設備を特定する設備データ、一または二以上の案内ポイントの位置データまたは、および一または二以上の測定ポイントの位置データが各中継局の識別データと共に互いに関連付けられて構築されていることを特徴とする請求項１記載の出向者支援用データベースシステム。
【請求項５】
放送用電波を中継する中継局に出向する出向者を支援する出向者支援システムであって、
前記中継局の中継設備を特定する設備データ、前記中継局周辺に定められた当該中継局までの案内ルートを含む地図を表す地図データ、前記案内ルートに関連して定められた一または二以上の案内ポイントの位置データ、前記中継局から中継された電波測定用の一または二以上の測定ポイントを示す地図を表す測定ポイント用地図データ、および前記測定ポイントの位置データが、前記中継局の識別データと共に互いに関連付けられて構築された出向者支援用データベースを記憶するデータベース記憶手段と、前記出向者支援用データベースの中から、少なくとも１つのデータを出向者支援用データとして読み出すデータ読出手段と、読み出した出向者支援用データを、出向者が利用可能な通信端末に対して通信ネットワークを介して送信するデータ送信手段とを備えたこと特徴とする出向者支援システム。
【請求項６】
前記出向者支援用データベースは、前記各案内ポイントの周囲の景色を示す画像データ、前記各測定ポイントの周囲の景色を示す画像データおよび前記各測定ポイントでの測定状態を含む画像データをさらに含み、前記各測定ポイントの周囲の景色を示す画像データおよび前記各測定ポイントでの測定状態を含む画像データは、対応する各測定ポイントの位置データに関連付けられていることを特徴とする請求項５記載の出向者支援システム。
【請求項７】
前記出向者は複数であり、前記通信端末は、前記各出向者が携帯可能な携帯端末と、この各携帯端末から通信可能な前記出向者の業務スケジュール管理用の管理端末とを含んでおり、前記管理端末は、前記複数の出向者の業務スケジュールを更新可能に記憶する業務スケジュール記憶手段と、前記データ送信手段から送信された前記出向者支援用データを受信する手段と、前記業務スケジュール記憶手段に記憶された各出向者の業務スケジュールを参照して少なくとも１人の出向者を選出し、選出した出向者の携帯端末に対して、前記受信した出向者支援用データを前記通信ネットワークを介して送信する手段とを備えたことを特徴とする請求項５または６項記載の出向者支援システム。
【請求項８】
前記携帯端末および前記管理端末の公開鍵をそれぞれ記憶する手段を備え、
前記データ送信手段は、前記出向者支援用データを、送信先である携帯端末および前記管理端末の少なくとも一方の公開鍵で暗号化し、この暗号化された出向者支援用データを、携帯端末および前記管理端末の少なくとも一方のグローバルアドレスを宛先として前記通信ネットワークを介して送信する手段とを備えており、
前記送信先である携帯端末および前記管理端末の少なくとも一方は、前記公開鍵に対応する秘密鍵を記憶する記憶手段と、前記グローバルアドレスを宛先として送信されてきた暗号化された出向者支援用データを、前記秘密鍵で復号化する手段とを備えたことを特徴とする請求項５または６項記載の出向者支援システム。
【請求項９】
前記出向者支援用データは、前記複数の案内ポイントおよび複数の測定ポイントの内の少なくとも１つのポイントの位置データを含み、
前記出向者が利用可能な通信端末は、送信された出向者支援用データを受信して記憶する手段と、自通信端末自体の現在の位置データを検出する位置データ検出手段と、前記少なくとも１つのポイントの位置データおよび前記自通信端末の現在位置データに基づいて、当該少なくとも１つのポイントの位置および前記出向者の現在位置を含む位置表示画面を作成する手段と、作成した位置表示画面を表示する手段とを備えたことを特徴とする請求項５記載の出向者支援システム。
【請求項１０】
前記設備データは、前記中継局の位置データを含み、前記出向者支援用データは、前記中継局の位置データ、前記複数の案内ポイントの位置データ、および複数の測定ポイントの位置データの内の少なくとも１つの位置データを含み、
前記出向者が利用可能な通信端末は、移動体に搭載されたナビゲーション用通信端末であり、
当該移動体に搭載された通信端末は、地図画像を記憶する地図画像記憶手段と、送信された出向者支援用データを受信して記憶する手段と、前記移動体の現在位置に対応する自通信端末自体の現在の位置データを検出する位置データ検出手段と、前記少なくとも１つの位置データおよび前記自通信端末の現在位置データに基づいて、当該少なくとも１つの位置データに対応する目的位置までの走行ルートを探索する探索手段と、探索された走行ルートおよび前記出向者の現在位置を含み、前記移動体を前記目的位置までナビゲートするための情報を作成する手段と、作成したナビゲート情報を表示出力する手段とを備えたことを特徴とする請求項５記載の出向者支援システム。
【請求項１１】
前記出向者支援用データは、前記中継局までの地図データおよび前記測定ポイント用地図データを含み、
前記探索手段の探索処理の結果、前記少なくとも１つの位置データに対応する目的位置までの走行ルートが探索不可能な場合には、前記地図データおよび前記測定ポイント用地図データの内、前記少なくとも１つの位置データを含む地図データを印刷出力する手段を備えたことを特徴とする請求項１０記載の出向者支援システム。
【請求項１２】
前記出向者支援用データは、前記一または二以上の案内ポイントおよび一または二以上の測定ポイントの内の少なくとも１つのポイントの位置データおよび当該位置データに対応する前記画像データを含み、
前記出向者が利用可能な通信端末は、送信された出向者支援用データを受信して記憶する手段と、自通信端末自体の現在の位置データを検出する位置データ検出手段と、前記少なくとも１つのポイントの位置データ、対応する前記画像データおよび前記自通信端末の現在位置データに基づいて、当該少なくとも１つのポイントの位置、そのポイントに対応する画像および前記出向者の現在位置を含む位置・画像表示画面を作成する手段と、作成した位置・画像表示画面を表示する手段とを備えたことを特徴とする請求項６記載の出向者支援システム。
【請求項１３】
前記出向者支援用データベースは、前記各測定ポイントでの測定基準値を表す測定基準データをさらに含み、当該各測定ポイントの測定基準データは、対応する各測定ポイントの位置データに関連付けられている一方、
前記出向者支援用データは、少なくとも１つの測定ポイントでの測定基準データを含み、
前記出向者が利用可能な通信端末は、送信された出向者支援用データを受信して記憶する手段と、前記少なくとも１つの測定ポイントの位置データおよびそのポイントに対応する測定基準データに基づいて、当該少なくとも１つの測定ポイントでの測定値入力画面を作成し、作成した測定値入力画面を表示する手段とを備えたことを特徴とする請求項５記載の出向者支援システム。
【請求項１４】
前記案内ポイントあるいは前記測定ポイントの位置データは、当該案内ポイントあるいは測定ポイントの緯度および経度を表すデータであり、前記自通信端末自体の現在の位置データは、その通信端末の現在位置の緯度および経度を表すデータである請求項５記載の出向者支援システム。
【請求項１５】
放送用電波を中継する中継局の中継設備を特定する設備データ、
前記中継局周辺に定められた当該中継局までの案内ルートを含む地図を表す地図データ、
前記案内ルートに関連して定められた一または二以上の案内ポイントそれぞれの位置データ、前記中継局から中継された電波測定用の一または二以上の測定ポイント全体を示す地図を表す測定ポイント用地図データおよび前記一または二以上の測定ポイントそれぞれの位置データが前記中継局の識別データと共に互いに関連付けられて構築された出向者支援用データベースに対して通信ネットワークを介して通信可能であり、前記中継局に出向する出向者が携帯可能な出向者携帯用端末であって、
前記出向者支援用データベースシステムから前記通信ネットワークを介して送信されてきた、前記一または二以上の案内ポイントおよび一または二以上の測定ポイントの内の少なくとも１つのポイントの位置データを含む出向者支援用データを受信して記憶する手段と、自携帯端末自体の現在の位置データを検出する位置データ検出手段と、前記少なくとも１つのポイントの位置データおよび前記自携帯端末の現在位置データに基づいて、当該少なくとも１つのポイントの位置および前記出向者の現在位置を含む位置表示画面を作成する手段と、作成した位置表示画面を表示する作成表示手段とを備えたことを特徴とする出向者携帯用端末。
【請求項１６】
前記出向者支援用データは、前記複数の案内ポイントおよび複数の測定ポイントの内の少なくとも１つのポイントの位置データに加えて、その少なくとも１つのポイントに対応する画像データを含み、
前記作成表示手段は、前記少なくとも１つのポイントの位置および前記出向者の現在位置に加えて、当該少なくとも１つのポイントに対応する画像データを含む位置・画像表示画面を作成し、作成した位置・画像表示画面を表示する手段をさらに備えたことを特徴とする請求項１５記載の出向者携帯用端末。
【請求項１７】
前記出向者支援用データは、前記複数の測定ポイントの内の少なくとも１つの測定ポイントの位置データおよび当該少なくとも１つの測定ポイントに対応する測定基準データを含み、
前記作成表示手段は、前記少なくとも１つの測定ポイントの位置データおよび測定基準データに基づいて、当該少なくとも１つの測定ポイントでの測定値入力画面を作成し、作成した測定値入力画面を表示する手段とを備えたことを特徴とする請求項１５記載の出向者携帯用端末。
【請求項１８】
放送用電波を中継する中継局の中継設備を特定する設備データ、
前記中継局周辺に定められた当該中継局までの案内ルートを含む地図を表す地図データ、
前記案内ルートに関連して定められた一または二以上の案内ポイントそれぞれの位置データ、前記中継局から中継された電波測定用の一または二以上の測定ポイント全体を示す地図を表す測定ポイント用地図データおよび前記一または二以上の測定ポイントそれぞれの位置データが前記中継局の識別データと共に互いに関連付けられて構築された出向者支援用データベースに対して通信ネットワークを介して通信可能であり、前記中継局に出向する出向者が移動する移動体に搭載されたナビゲーション用端末であって、
地図画像を記憶する地図画像記憶手段と、前記出向者支援用データベースシステムから前記通信ネットワークを介して送信されてきた、前記中継局の位置データ、前記一または二以上の案内ポイントの位置データ、および一または二以上の測定ポイントの位置データの内の少なくとも１つの位置データを含む出向者支援用データを受信して記憶する手段と、前記移動体の現在位置に対応する自通信端末自体の現在の位置データを検出する位置データ検出手段と、前記少なくとも１つの位置データおよび前記自通信端末の現在位置データに基づいて、当該少なくとも１つの位置データに対応する目的位置までの走行ルートを探索する探索手段と、探索された走行ルートおよび前記出向者の現在位置を含み、前記移動体を前記目的位置までナビゲートするための情報を作成する手段と、作成したナビゲート情報を表示出力する手段とを備えたことを特徴とするナビゲーション用端末。
【請求項１９】
放送用電波を中継する中継局に出向する出向者を支援するためのコンピュータが実行可能なプログラムであって、
前記コンピュータを、前記中継局の中継設備を特定する設備データ、前記中継局周辺に定められた当該中継局までの案内ルートを含む地図を表す地図データ、前記案内ルートに関連して定められた一または二以上の案内ポイントそれぞれの位置データ、前記中継局から中継された放送用電波測定用の一または二以上の測定ポイント用地図データおよび各測定ポイントの位置データが、前記中継局の識別データと共に互いに関連付けられて構築された出向者支援用データベースを記憶するデータベース記憶手段として機能させることを特徴とするプログラム。
【請求項２０】
前記コンピュータを、前記構築された出向者支援用データベースをメモリに記憶する手段と、前記メモリに記憶された出向者支援用データベースの中から、少なくとも１つのデータを出向者支援用データとして読み出すデータ読出手段と、読み出した出向者支援用データを通信端末に対して通信ネットワークを介して送信するデータ送信手段としてさらに機能させることを特徴とする請求項１９記載のプログラム。
【請求項２１】
放送用電波を中継する中継局の中継設備を特定する設備データ、
前記中継局周辺に定められた当該中継局までの案内ルートを含む地図を表す地図データ、
前記案内ルートに関連して定められた一または二以上の案内ポイントそれぞれの位置データ、前記中継局から中継された電波測定用の一または二以上の測定ポイント全体を示す地図を表す測定ポイント用地図データおよび前記一または二以上の測定ポイントそれぞれの位置データが前記中継局の識別データと共に互いに関連付けられて構築された出向者支援用データシステムに対して通信ネットワークを介して通信可能であり、前記中継局に出向する出向者が携帯可能な出向者携帯用端末のコンピュータが実行可能なプログラムであって、
前記コンピュータを、前記出向者支援用データベースシステムから前記通信ネットワークを介して送信されてきた、前記一または二以上の案内ポイントおよび一または二以上の測定ポイントの内の少なくとも１つのポイントの位置データを含む出向者支援用データを受信してメモリに記憶する手段と、自携帯端末自体の現在の位置データを検出する位置データ検出手段と、前記メモリに記憶された少なくとも１つのポイントの位置データおよび前記自携帯端末の現在位置データに基づいて、当該少なくとも１つのポイントの位置および前記自携帯端末の現在位置を含む位置表示画面を作成する手段と、作成した位置表示画面をディスプレイに表示する手段として機能させることを特徴とするプログラム。
【請求項２２】
放送用電波を中継する中継局に出向する出向者をコンピュータを用いて支援するための出向者支援方法であって、
前記コンピュータは、前記中継局の中継設備を特定する設備データ、前記中継局周辺に定められた当該中継局までの案内ルートを含む地図を表す地図データ、前記案内ルートに関連して定められた一または二以上の案内ポイントの位置データ、前記中継局から中継された放送用電波測定用の一または二以上の測定ポイント用地図データおよび各測定ポイントの位置データ、を前記中継局の識別データと共に互いに関連付けて出向者支援用データベースを構築するステップと、構築した出向者支援用データベースをメモリに記憶するステップと、前記メモリに記憶された出向者支援用データベースの中から、少なくとも１つのデータを出向者支援用データとして読み出すステップと、読み出した出向者支援用データを通信端末に対して通信ネットワークを介して送信するステップとをそれぞれ実行すること特徴とする出向者支援方法。
【発明の詳細な説明】
【０００１】
【発明の属する技術分野】
本発明は、放送局から送信された放送用電波を中継する中継局に対して、例えばその中継局の中継設備の点検や、中継機能の検査等の業務等により出向する出向者を支援するための出向者支援方法およびシステム、ならびにプログラムに関する。
【０００２】
【従来の技術】
ＮＨＫ、民放等の放送局から放送された放送信号（地上波、放送電波）は、複数の中継局を介して中継されることにより、広大なエリア内で視聴できるようになっている。
【０００３】
例えば、首都圏エリアにおいては、複数の放送局から発信された放送信号は、大型中継局である東京タワーに受信され、この東京タワーから首都圏エリアに送信されている。
【０００４】
首都圏エリアに送信された放送信号は、その首都圏エリア上の各地に設置された中継局の受信および送信アンテナを介して中継され、首都圏エリア上の隅々まで行き渡るようになっている。すなわち、東京タワーから離間した山間僻地等の電波強度不足による難視聴地域を無くすために、多数の中継局を設置して放送信号を広範囲に配信するようになっている。
【０００５】
ところで、近年、衛星を利用したデジタル放送が実用化されており、視聴者は、高画質化、多チャンネル化、双方向性等の多様なサービスを受けることができる。
【０００６】
このように、デジタル放送は視聴者へのサービス向上が期待できるため、従来の地上波放送も、２００３年からデジタル化が開始される。そして、２０１０年度までに従来の地上波放送（アナログ放送）が終了することが郵政省により決定されている。
【０００７】
したがって、上述した各中継局において、デジタル放送用の受信および送信アンテナを新たに設置する必要がある。また、地上波アナログ放送、デジタル放送を問わず、各中継局を介して中継される放送信号が正常であるか否かを監視し、異常が発生した場合には、各中継局の中継設備を保守する必要もある。特に、新たなデジタル放送用の受信および送信アンテナ設置後においては、２０１０年度までは地上波デジタル放送および地上波アナログ放送を共に放送する、いわゆるサイマル放送を行うため、サイマル放送に伴う電波障害等を考慮した場合、上記各中継局の中継設備を保守する必要性はさらに高まる。
【０００８】
上記アンテナ設置等の施工や、アンテナ送信電波の点検を含む中継設備の保守作業は、放送局から依頼された施工・保守事業者（以下、総称して施工事業者と記載する）により行われている。
【０００９】
すなわち、中継局に対する施工事業者の出向者は、施工／保守依頼元の放送局に出向いて施工／保守対象となる中継局の地図、その中継局の名称・住所を含む中継設備に関する情報および点検用の放送電波チェックポイントの地図を受け取る。そして、出向者は、受け取った地図・中継局の住所を参照しながら施工／保守対象中継局へ向かい、施工／保守作業を行う。
【００１０】
また、点検用の放送電波測定作業においては、出向者は、点検用の放送電波チェックポイントの地図および住所を参考にしながら、点検用の放送電波チェックポイントを探す。そして、放送電波チェックポイントを発見した際に、その放送電波チェックポイントにおいて放送電波を測定している。
【００１１】
【発明が解決しようとする課題】
しかしながら、従来では、施工事業者の出向者は、施工／保守依頼元の放送局に出向かなければ、その施工施工／保守対象となる中継局の特定に必要な、地図、名称・住所を含む中継設備に関する情報および点検用の放送電波チェックポイントの地図を含む情報を入手することができない。
【００１２】
このため、例えば中継局から警報情報を受け取った場合等の施工／保守依頼時から、実際の施工／保守業務が行われるまでにタイムラグが発生し、施工／保守効率を悪化させるとともに、その中継局の信頼性を損なう恐れが生じていた。
【００１３】
また、上述したように、従来の地上波放送においては、難視聴地域を極力減らすために、各中継局は山間部や僻地等に設置されていることが多い。
【００１４】
したがって、出向者は、中継局の地図およびその住所だけでは、山間部や僻地等に設置された中継局の位置を正確に特定することが困難であり、中継局の位置特定までに多大な時間を要していた。このため、施工／保守効率の悪化や、中継局の信頼性低下を招く危険性があった。
【００１５】
さらに、出向者は、点検用の放送電波測定作業を行う際に、点検用の放送電波チェックポイントの地図および住所を参考にしながら、点検用の放送電波チェックポイントを探さなければならない。これは、上述した中継局の設置位置（山間部や僻地等）の理由から、多大な時間を要する結果となっていた。
【００１６】
本発明は上述した事情に鑑みてなされたもので、アンテナ等の施工／保守を行うために中継局へ出向する出向者を支援してその施工／保守効率および中継局の信頼性をそれぞれ向上可能な出向者支援用データベースシステム、出向者支援方法およびシステム、ならびにプログラム等を提供することをその目的とする。
【００１７】
また、本発明は上述した事情に鑑みてなされたもので、出向者が中継局の位置および放送電波チェックポイントの位置を容易かつ短時間で発見することができる出向者支援用データベースシステム、出向者支援方法およびシステム、ならびにプログラム等を提供することを他の目的とする。
【００１８】
【課題を解決するための手段】
上述した目的を達成するための本発明の第1の態様によれば、放送用電波を中継する中継局に出向する出向者支援用のデータベースシステムであって、前記中継局の中継設備を特定する設備データ、前記中継局周辺に定められた当該中継局までの案内ルートを含む地図を表す地図データ、前記案内ルートに関連して定められた一または二以上の案内ポイントの位置データ、前記中継局から中継された電波測定用の一または二以上の測定ポイントを示す地図を表す測定ポイント用地図データ、前記測定ポイントの位置データが、前記中継局の識別データと共に互いに関連付けられて構築された出向者支援用データベースを記憶するデータベース記憶手段を備えている。
【００１９】
上述した目的を達成するための本発明の第２の態様によれば、放送用電波を中継する中継局に出向する出向者を支援する出向者支援システムであって、
前記中継局の中継設備を特定する設備データ、前記中継局周辺に定められた当該中継局までの案内ルートを含む地図を表す地図データ、前記案内ルートに関連して定められた一または二以上の案内ポイントの位置データ、前記中継局から中継された電波測定用の一または二以上の測定ポイントを示す地図を表す測定ポイント用地図データ、前記測定ポイントの位置データが、前記中継局の識別データと共に互いに関連付けられて構築された出向者支援用データベースを記憶するデータベース記憶手段と、前記出向者支援用データベースの中から、少なくとも１つのデータを出向者支援用データとして読み出すデータ読出手段と、読み出した出向者支援用データを、出向者が利用可能な通信端末に対して通信ネットワークを介して送信するデータ送信手段とを備えている。
【００２０】
上述した目的を達成するための本発明の第３の態様によれば、放送信号を中継する中継局の中継設備を特定する設備データ、前記中継局周辺に定められた当該中継局までの案内ルートを含む地図を表す地図データ、前記案内ルートに関連して定められた複数の案内ポイントそれぞれの位置データ、前記中継局から中継された放送信号測定用の複数の測定ポイント全体を示す地図を表す測定ポイント用地図データおよび前記複数の測定ポイントそれぞれの位置データが前記中継局の識別データと共に互いに関連付けられて構築された出向者支援用データベースに対して通信ネットワークを介して通信可能であり、前記中継局に出向する出向者が携帯可能な出向者携帯用端末であって、前記出向者支援用データベースシステムから前記通信ネットワークを介して送信されてきた、前記複数の案内ポイントおよび複数の測定ポイントの内の少なくとも１つのポイントの位置データを含む出向者支援用データを受信して記憶する手段と、自携帯端末自体の現在の位置データを検出する位置データ検出手段と、前記少なくとも１つのポイントの位置データおよび前記自携帯端末の現在位置データに基づいて、当該少なくとも１つのポイントの位置および前記出向者の現在位置を含む位置表示画面を作成する手段と、作成した位置表示画面を表示する作成表示手段とを備えている。
【００２１】
上述した目的を達成するための本発明の第４の態様によれば、放送信号を中継する中継局の中継設備を特定する設備データ、前記中継局周辺に定められた当該中継局までの案内ルートを含む地図を表す地図データ、前記案内ルートに関連して定められた複数の案内ポイントそれぞれの位置データ、前記中継局から中継された放送信号測定用の複数の測定ポイント全体を示す地図を表す測定ポイント用地図データおよび前記複数の測定ポイントそれぞれの位置データが前記中継局の識別データと共に互いに関連付けられて構築された出向者支援用データベースに対して通信ネットワークを介して通信可能であり、前記中継局に出向する出向者が移動する移動体に搭載されたナビゲーション用端末であって、地図画像を記憶する地図画像記憶手段と、前記出向者支援用データベースシステムから前記通信ネットワークを介して送信されてきた、前記中継局の位置データ、前記複数の案内ポイントの位置データ、および複数の測定ポイントの位置データの内の少なくとも１つの位置データを含む出向者支援用データを受信して記憶する手段と、前記移動体の現在位置に対応する自通信端末自体の現在の位置データを検出する位置データ検出手段と、前記少なくとも１つの位置データおよび前記自通信端末の現在位置データに基づいて、当該少なくとも１つの位置データに対応する目的位置までの走行ルートを探索する探索手段と、探索された走行ルートおよび前記出向者の現在位置を含み、前記移動体を前記目的位置までナビゲートするための情報を作成する手段と、作成したナビゲート情報を表示出力する手段とを備えている。
【００２２】
上述した目的を達成するための本発明の第５の態様によれば、放送用電波を中継する中継局に出向する出向者を支援するためのコンピュータが実行可能なプログラムであって、コンピュータを、前記中継局の中継設備を特定する設備データ、前記中継局周辺に定められた当該中継局までの案内ルートを含む地図を表す地図データ、前記案内ルートに関連して定められた一または二以上の案内ポイントの位置データ、前記中継局から中継された放送用電波測定用の一または二以上の測定ポイント用地図データおよび各測定ポイントの位置データが、前記中継局の識別データと共に互いに関連付けられて構築された出向者支援用データベースを記憶するデータベース記憶手段として機能させる。
【００２３】
上述した目的を達成するための本発明の第６の態様によれば、放送用電波を中継する中継局の中継設備を特定する設備データ、前記中継局周辺に定められた当該中継局までの案内ルートを含む地図を表す地図データ、前記案内ルートに関連して定められた一または二以上の案内ポイントそれぞれの位置データ、前記中継局から中継された電波測定用の一または二以上の測定ポイント全体を示す地図を表す測定ポイント用地図データおよび前記一または二以上の測定ポイントそれぞれの位置データが前記中継局の識別データと共に互いに関連付けられて構築された出向者支援用データシステムに対して通信ネットワークを介して通信可能であり、前記中継局に出向する出向者が携帯可能な出向者携帯用端末のコンピュータが実行可能なプログラムであって、前記コンピュータを、前記出向者支援用データベースシステムから前記通信ネットワークを介して送信されてきた、前記一または二以上の案内ポイントおよび一または二以上の測定ポイントの内の少なくとも１つのポイントの位置データを含む出向者支援用データを受信してメモリに記憶する手段と、自携帯端末自体の現在の位置データを検出する位置データ検出手段と、前記メモリに記憶された少なくとも１つのポイントの位置データおよび前記自携帯端末の現在位置データに基づいて、当該少なくとも１つのポイントの位置および前記自携帯端末の現在位置を含む位置表示画面を作成する手段と、作成した位置表示画面をディスプレイに表示する手段として機能させる。
【００２４】
上述した目的を達成するための本発明の第７の態様によれば、放送用電波を中継する中継局に出向する出向者をコンピュータを用いて支援するための出向者支援方法であって、前記コンピュータは、前記中継局の中継設備を特定する設備データ、前記中継局周辺に定められた当該中継局までの案内ルートを含む地図を表す地図データ、前記案内ルートに関連して定められた一または二以上の案内ポイントの位置データ、前記中継局から中継された放送用電波測定用の一または二以上の測定ポイント用地図データおよび各測定ポイントの位置データ、を前記中継局の識別データと共に互いに関連付けて出向者支援用データベースを構築するステップと、構築した出向者支援用データベースをメモリに記憶するステップと、前記メモリに記憶された出向者支援用データベースの中から、少なくとも１つのデータを出向者支援用データとして読み出すステップと、読み出した出向者支援用データを通信端末に対して通信ネットワークを介して送信するステップとをそれぞれ実行する。
【００２５】
【発明の実施形態】
本発明に係る出向者支援方法およびシステム、ならびにプログラム等の実施の形態について、添付図面を参照して説明する。
【００２６】
図１は、本発明の実施の形態に係る出向者支援システム１の全体構成を示す図である。
【００２７】
図１に示すように、出向者支援システム１は、放送局２の放送設備２ａからパラボラアンテナ２ｂを介して発信された放送信号（放送波）を中継する複数の中継局３ａ１〜３ａｎに出向して、新たな中継アンテナ（送信／受信アンテナ）の施工や、上記中継アンテナを含む中継設備の保守等を行う出向者の上記施工／保守業務を支援するものである。
【００２８】
特に、本実施形態では、複数の中継局３ａ１〜３ａｎの少なくとも一部は、山間部や僻地等に設置されている。
放送局２には、各中継局３ａ１〜３ａｎの送信／受信アンテナを含む中継設備を特定するための設備基本情報が中継局毎に独自の形式で存在している。
【００２９】
この設備基本情報は、識別情報（送信所・受信所の名称、住所等）、位置情報（送信所・受信所の位置情報[緯度・経度]等）および設備仕様情報（送信系の仕様[出力ワット、アンテナ形式等]、受信系の仕様[親局の名称、アンテナ形式等]等）を含んでいる。
【００３０】
また、放送局２には、各中継局３ａ１〜３ａｎの案内用の全体地図情報、各中継局３ａ１〜３ａｎまでの各案内ルート｛例えば、各中継局３ａ１〜３ａｎの最寄の各交通地点（駅、バス停等）から各中継局３ａ１〜３ａｎまで予め定められた案内ルート｝上にそれぞれ定められた複数の案内ポイントの位置情報（緯度／経度情報）、その複数の案内ポイントの画像情報が中継局毎に個別に存在する。
【００３１】
さらに、放送局２には、各中継局３ａ１〜３ａｎから中継された放送信号測定用の複数の電波測定（電測）ポイント全体を示す地図情報、その複数の電測ポイントの位置情報（緯度／経度情報）およびその複数の電測ポイントで測定状態をそれぞれ含む当該測定状態に係わる画像情報が中継局毎に個別に存在する。
【００３２】
そして、放送局２には、各電測ポイントの条件を表すパラメータ値｛例えば、対応する電測ポイントから送信アンテナまでの距離（ｋｍ）、電測ポイントの標高（ｍ）、電測ポイントと送信アンテナとの標高差（ｍ）、送信アンテナに対する方位（度）、送信アンテナに対する俯角（度）、水平指向性補正値（ｄＢ）および垂直指向性補正値（ｄＢ）｝と、上記各電測ポイントの条件パラメータ値を用いた所定の式から求められた各電測ポイントの基本電波値（理論値）とが中継局毎に個別に存在する。
【００３３】
また、各電測ポイントの過去の電測値（電測履歴値）が中継局毎に個別に存在する。
【００３４】
図１に示す出向者支援システム１は、オープンネットワークであるインターネット上に、標準プロトコルＩＰｓｅｃ（Security Architecture for the Internet Protocol）に基づいて構築された仮想私設網（VPN: Virtual Private Network；専用通信網と同様のプライベートネットワーク；以下、インターネットＶＰＮとする）４上に出向者支援用のＷｅｂサイトを構築するＷｅｂサーバシステム１０を備えている。
【００３５】
複数の中継局３ａ１〜３ａｎの内、例えば中継局３ａ１は、放送局２から発信された放送信号を、中継設備１２の大型パラボラアンテナ１１を介して直接受信し、このパラボラアンテナ１１を介して周囲へ送信する大型中継局（例えば、関東圏では、東京タワーである）である。
【００３６】
また、残りの中継局３ａ２〜３ａｎは、中継局３ａ１のパラボラアンテナ１１を介して送信された放送信号、あるいは他の中継局（親局）を介して中継された放送信号を受信アンテナ１３ａ２〜１３ａｎを介して受信する受信設備１４ａ２〜１４ａｎと、この受信設備１４ａ２〜１４ａｎに対して光ファイバ等の伝送線１５を介して接続されており、受信された放送信号を送信アンテナ１６ａ２〜１６ａｎを介して送信する送信設備１７ａ２〜１７ａｎとを備えている。
【００３７】
このとき、出向者支援システム１は、上記各中継局３ａ１〜３ａｎのそれぞれの中継設備（中継設備１２、受信設備１４ａ２〜１４ａｎ、送信設備１７ａ２〜１７ａｎ）に設置されている監視装置１８ａ１、１８ａ２、１８ｂ２、・・・、１８ａｎ、１８ｂｎを備えている。
【００３８】
この監視装置１８ａ１、１８ａ２、１８ｂ２、・・・、１８ａｎ、１８ｂｎは、対応する中継設備を構成する複数の中継機器の動作状態を常時監視する機能およびインターネット４上に構築されたＷｅｂサイトをブラウズ（閲覧）し、Ｗｅｂサイトを構築するＷｅｂサーバシステムに対して、電子メールサービスを含む動的なサービスを要求できる機能を有するブラウザ機能搭載型監視装置である。
【００３９】
また、出向者支援システム１は、放送局２と各中継局３ａ１〜３ａｎに対する施工／保守業務の契約を締結している施工／保守事業者が所有しており、インターネット４上に構築されたＷｅｂサイトを閲覧し、Ｗｅｂサイトを構築するＷｅｂサーバシステムに対して動的なサービスを要求可能な施工／保守事業者側Ｗｅｂブラウザシステム２０を備えている。
【００４０】
さらに、出向者支援システム１は、施工／保守事業者の従業員である複数の出向者それぞれが携帯可能であり、インターネット４上に構築されたＷｅｂサイトを閲覧し、Ｗｅｂサイトを構築するＷｅｂサーバシステムに対して動的なサービスを要求可能な出向者側Ｗｅｂブラウザ端末２１ａ１〜２１ａｎを備えている。
【００４１】
そして、出向者支援システム１は、放送局２内に設置されており、インターネット４上に構築されたＷｅｂサイトを閲覧し、Ｗｅｂサイトを構築するＷｅｂサーバシステムに対して動的なサービスを要求可能な放送局側Ｗｅｂブラウザシステム２２を備えている。
【００４２】
Ｗｅｂサーバシステム１０は、図１および図２に示すように、サーバコンピュータ３０を有するサーバ本体３０ａと、コンピュータ３０がアクセス可能な大容量記憶装置（データベースサーバ等）３１と、複数の閲覧用Ｗｅｂページであるマルチメディアコンテンツを記憶するコンテンツ用データベース３２と、コンピュータ３０がアクセス可能であり、そのコンピュータ３０の後掲図３および図４に示す処理により作成される出向者支援用リレーショナルデータベース（出向者支援用データベースと略記する）３３とを備えており、このコンテンツ用データベース３２および出向者支援用リレーショナルデータベース３３は、大容量記憶装置３１に記憶されている。
【００４３】
マルチメディアコンテンツは、Ｗｅｂブラウザ側において閲覧できるコンテンツファイルであり、Ｗｅｂ情報記述言語｛例えば、ＨＴＭＬ（Hyper Text Markup Language）やＸＭＬ（eXtensible Markup Language）等｝で記述されている。なお、以下、本実施形態では、上記コンテンツファイルを、ＨＴＭＬで記述されたＨＴＭＬファイルとする。
【００４４】
さらに、Ｗｅｂサーバシステム１０は、コンピュータ３０がアクセス可能な記憶媒体としてのメモリ３４を備えている。
【００４５】
メモリ３４には、Ｗｅｂブラウザ側からのコンテンツ閲覧要求に応じてコンテンツ用データベース３２から閲覧要求に対応するＨＴＭＬファイルを読み出して送信（ダウンロード）する処理をコンピュータ３０に実行させるためのプログラムであるＷｅｂサーバ３５と、ＨＴＭＬファイル上におけるＷｅｂブラウザ側からの出向者支援に係わる動的サービス要求に対応する処理をコンピュータ３０に実行させて上記要求に対応するコンテンツファイル（ＨＴＭＬファイル）を作成させるための処理手順やメール送受信処理手順に基づくプログラム３６とがそれぞれ記憶されている。すなわち、Ｗｅｂサーバ３５およびプログラム３６は、互いに協調してコンピュータ３０を動作させて上述した処理を実行させるようになっている。
【００４６】
そして、Ｗｅｂサーバシステム１０は、コンピュータ３０と通信可能であり、上記ＩＰｓｅｃに基づくＶＰＮ処理機能が搭載されており、インターネットＶＰＮ４を介して秘密かつ安全なデータ通信を行うためのルータ３７と、コンピュータ３０およびルータ３７がアクセス可能であり、上記ルータ３７のＶＰＮ機能に必要なアドレス・鍵管理ファイル３８を備えている。
【００４７】
このアドレス・鍵管理ファイル３８には、自システム固有ＩＰアドレスおよびオープンなグローバルＩＰアドレス（ルータ３７のグローバルアドレス）と、予め公開されている自サーバシステムの暗号化用の公開鍵に対応する秘密鍵（公開鍵で情報を暗号化した場合、対応する秘密鍵でしか復号化できない）と、各監視装置１８ａ１、１８ａ２、１８ｂ２〜１８ａｎ、１８ｂｎの固有ＩＰアドレスおよび公開鍵と、施工／保守事業者側Ｗｅｂブラウザシステム２０の固有ＩＰアドレス、パスワード等の認証情報および公開鍵と、放送局側Ｗｅｂブラウザシステム２２の固有ＩＰアドレス、認証情報および公開鍵とがそれぞれ記憶されている。
【００４８】
また、施工／保守事業者側Ｗｅｂブラウザシステム２０は、図１に示すように、メモリ４０を含むコンピュータ４１と、このコンピュータ４１に接続されたディスプレイ４２と、コンピュータ４１に接続されたキーボード等の入力部４３と、コンピュータ４１に接続されており、上記ＩＰｓｅｃに基づくＶＰＮ処理機能が搭載されたルータ４４とを備えている。メモリ４０には、上記コンテンツファイル（ＨＴＭＬファイル）閲覧用および動的サービス要求用のＷｅｂブラウザ（ソフトウエア）およびメール送受信用ソフトウエア等を含むプログラムが内蔵されており、コンピュータ４１は、このプログラムに基づく動作により、ルータ４４を介してＷｅｂサーバシステム１０にアクセスして、所定のコンテンツ閲覧要求や動的サービス要求を実行できるようになっている。
【００４９】
さらに、施工／保守事業者側Ｗｅｂブラウザシステム２０は、複数の出向者それぞれの１日毎の業務スケジュールを更新可能に管理するための業務スケジュール管理データベース４５と、アドレス・鍵管理ファイル４６とを備えている。
【００５０】
このアドレス・鍵管理ファイル４６には、予め公開されている自Ｗｅｂブラウザシステムの暗号化用の公開鍵に対応する秘密鍵と、Ｗｅｂサーバシステム１０の固有ＩＰアドレス、グローバルＩＰアドレスおよび公開鍵と、各監視装置１８ａ１、１８ａ２、１８ｂ２〜１８ａｎ、１８ｂｎの認証情報および公開鍵と、放送局側Ｗｅｂブラウザシステム２２の認証情報および公開鍵とがそれぞれ記憶されている。
【００５１】
さらに、放送局側Ｗｅｂブラウザシステム２２は、図１に示すように、メモリ５０を含むコンピュータ５１と、このコンピュータ５１に接続されたディスプレイ５２と、コンピュータ５１に接続されたキーボード等の入力部５３と、コンピュータ５１に接続されており、上記ＩＰｓｅｃに基づくＶＰＮ処理機能が搭載されたルータ５４とを備えている。メモリ５０には、上記コンテンツファイル（ＨＴＭＬファイル）閲覧用および動的サービス要求用のＷｅｂブラウザやメール送受信用ソフトウエア等を含むプログラムが内蔵されており、コンピュータ５１は、このプログラムに基づく動作により、ルータ５４を介してＷｅｂサーバシステム１０にアクセスして、所定のコンテンツ閲覧要求や動的サービス要求を実行できるようになっている。
【００５２】
さらに、放送局側Ｗｅｂブラウザシステム２２は、アドレス・鍵管理ファイル５５を備えている。このアドレス・鍵管理ファイル５５には、予め公開されている自Ｗｅｂブラウザシステムの暗号化用の公開鍵に対応する秘密鍵と、Ｗｅｂサーバシステム１０の固有ＩＰアドレス、グローバルＩＰアドレスおよび公開鍵と、各監視装置１８ａ１、１８ａ２、１８ｂ２〜１８ａｎ、１８ｂｎの認証情報および公開鍵と、施工／保守事業者側Ｗｅｂブラウザシステム２０の認証情報および公開鍵とがそれぞれ記憶されている。
【００５３】
一方、各中継局３ａ１〜３ａｎには、各Ｗｅｂブラウザ搭載型監視装置１８ａ１、１８ａ２、１８ｂ２〜１８ａｎ、１８ｂｎに接続されており、上記ＩＰｓｅｃに基づくＶＰＮ処理機能が搭載されたルータ６４を備えている。
【００５４】
そして、各Ｗｅｂブラウザ搭載型監視装置１８ａ１〜１８ａｎは、その監視装置自体（コンピュータ等）がアクセス可能なメモリ６０を内蔵しており、このメモリ６０には、上記コンテンツファイル（ＨＴＭＬファイル）閲覧用および動的サービス要求用のＷｅｂブラウザやメール送受信用ソフトウエア等を含むプログラムが記憶されている。
【００５５】
各監視装置１８ａ１〜１８ａｎは、このプログラムに基づく動作により、ルータ６４を介してＷｅｂサーバシステム１０にアクセスして、所定のコンテンツ閲覧要求や動的サービス要求を実行できるようになっている。
【００５６】
さらに、メモリ６０には、アドレス・鍵管理ファイルが記憶されている。このアドレス・鍵管理ファイルには、予め公開されている自監視装置の暗号化用の公開鍵に対応する秘密鍵と、Ｗｅｂサーバシステム１０の固有ＩＰアドレス、グローバルＩＰアドレスおよび公開鍵と、施工／保守事業者側Ｗｅｂブラウザシステム２０の認証情報および公開鍵と、放送局事業者側Ｗｅｂブラウザシステム２２の認証情報および公開鍵とがそれぞれ記憶されている。
【００５７】
一方、図２に示すように、各Ｗｅｂブラウザ端末２１ａ１〜２１ａｎ（図２では、Ｗｅｂブラウザ端末２１ａ１のみ示しているが、他のブラウザ端末２１ａ２〜２１ａｎも同様である）は、図２に示すように、コンピュータ７０と、このコンピュータ７０に接続されたディスプレイ７１と、コンピュータ７０に接続されたキーボード等の入力部７２と、コンピュータ７０に接続されており、上記ＩＰｓｅｃに基づくＶＰＮ処理機能が搭載された無線通信インタフェース７３とを備えている。
【００５８】
また、各Ｗｅｂブラウザ端末２１ａ１〜２１ａｎは、コンピュータ７０に接続されており、複数のＧＰＳ（Global Positioning System）衛星（図２においては、１つのＧＰＳ衛星のみ示している）から周期的に送信されてくるＧＰＳ信号を受信して自端末の現在位置情報（緯度／経度情報）を周期的に検出するＧＰＳ受信器７４と、例えばデジタルカメラ７５等の外部機器とコンピュータ７０との間のインタフェース用の外部インタフェース７６とを備えている。なお、ＧＰＳ受信器７４は、さらに位置が正確に分かっている基準局から例えばＦＭ放送等を媒体として送信された補正データ（基準局で受信されたＧＰＳ信号に基づく位置と実際の位置との誤差を補正するデータ）を受信して自端末の現在位置情報を検出することも可能である。
【００５９】
さらに、各Ｗｅｂブラウザ端末２１ａ１〜２１ａｎは、コンピュータ７０に接続されたメモリ７７を備えており、このメモリ７７には、上記コンテンツファイル（ＨＴＭＬファイル）閲覧用および動的サービス要求用のＷｅｂブラウザ７８と、メール送受信用ソフトウエア等を含むプログラム７９とが記憶されている。
【００６０】
各Ｗｅｂブラウザ端末２１ａ１〜２１ａｎのコンピュータ７０は、Ｗｅｂブラウザ７８およびプログラム７９に従って動作して、無線通信インタフェース７３を介してＷｅｂサーバシステム１０にアクセスして、所定のコンテンツ閲覧要求や動的サービス要求を実行できるようになっている。
【００６１】
さらに、メモリ７７には、アドレス・鍵管理ファイル８０が記憶されている。このアドレス・鍵管理ファイル８０には、予め公開されている自端末の暗号化用の公開鍵に対応する秘密鍵と、Ｗｅｂサーバシステム１０の固有ＩＰアドレス、グローバルＩＰアドレスおよび公開鍵と、各監視装置１８ａ１、１８ａ２、１８ｂ２〜１８ａｎ、１８ｂｎの認証情報および公開鍵と、施工／保守事業者側Ｗｅｂブラウザシステム２０の認証情報および公開鍵と、放送局事業者側Ｗｅｂブラウザシステム２２の認証情報および公開鍵とがそれぞれ記憶されている。
【００６２】
以下、出向者支援システム１における出向者支援処理、すなわち、Ｗｅｂサーバシステム１０、Ｗｅｂブラウザシステム２０、２２、Ｗｅｂブラウザ端末２１ａ１〜２１ａｎおよび監視装置１８ａ１、１８ａ２、１８ｂ２〜１８ａｎ、１８ｂｎの出向者支援に関する処理について詳細に説明する。
【００６３】
なお、Ｗｅｂサーバシステム１０の出向者支援に関する処理は、メモリ３３に記憶されたＷｅｂサーバ３５／プログラム３６に従って実行される。また、Ｗｅｂブラウザシステム２０、２２、Ｗｅｂブラウザ端末２１ａ１〜２１ａｎおよび監視装置１８ａ１、１８ａ２、１８ｂ２〜１８ａｎ、１８ｂｎの出向者支援に関する処理は、対応するＷｅｂブラウザ／プログラムに従って実行される。
【００６４】
そして、以下の出向者支援に関する処理においては、Ｗｅｂブラウザシステム２０、２２、Ｗｅｂブラウザ端末２１ａ１〜２１ａｎおよび監視装置１８ａ１、１８ａ２、１８ｂ２〜１８ａｎ、１８ｂｎは、予めＷｅｂサーバシステム１０と接続関係にあり、Ｗｅｂブラウザシステム２０、２２、Ｗｅｂブラウザ端末２１ａ１〜２１ａｎおよび監視装置１８ａ１、１８ａ２、１８ｂ２〜１８ａｎ、１８ｂｎに対しては、それぞれ動的な（不定の）グローバルＩＰアドレスが割り当てられているものとする。
【００６５】
最初に、放送局２の放送局側Ｗｅｂブラウザシステム２２におけるコンピュータ５０は、各中継局３ａ１〜３ａｎの設備基本情報｛識別情報、位置情報および設備仕様情報｝を電子化して、各中継局３ａ１〜３ａｎの設備基本データ（識別データ、位置データおよび設備仕様データ）を生成する。次いで、コンピュータ５０は、各中継局３ａ１〜３ａｎの案内用全体地図情報、各中継局３ａ１〜３ａｎにおける複数の案内ポイントの位置情報およびその複数の案内ポイントの画像情報を電子化して案内ポイント全体地図データ、案内ポイント位置データ・画像データを生成する。
【００６６】
さらに、コンピュータ５０は、各中継局３ａ１〜３ａｎにおける複数の電測ポイント全体を示す地図情報、その複数の電測ポイントの位置情報およびその複数の電測ポイントに係わる画像情報を電子化して電測ポイント全体地図データおよび電測ポイント位置データ・画像データを生成する。
【００６７】
そして、コンピュータ５０は、各電測ポイントの条件を表すパラメータ値、対応する各電測ポイントの基本値および電測履歴値をそれぞれ電子化して、パラメータデータ、基本値データおよび電測履歴データを生成する。
【００６８】
次いで、コンピュータ５０は、メモリ５１のアドレス・鍵管理ファイル８０を参照して、Ｗｅｂサーバシステム１０の固有ＩＰアドレスを読出し、生成した、各中継局３ａ１〜３ａｎの設備基本データ（識別データ、位置データおよび設備仕様データ）、案内ポイント全体地図データ、案内ポイント位置データ・画像データ、電測ポイント全体地図データ、電測ポイント位置データ・画像データ、パラメータデータ、基本値データおよび電測履歴データを、読み出した固有ＩＰアドレスを宛先に、出向者支援用データ（以下、出向者支援データとも記載する）としてルータ５４に送信する（ステップＳ１）。
【００６９】
ルータ５４は、送信されてきた出向者支援データ｛設備基本データ、案内ポイント全体地図データ、案内ポイント位置データ・画像データ、電測ポイント全体地図データ、電測ポイント位置データ・画像データ、パラメータデータ、基本値データおよび電測履歴データ｝を受信し、アドレス・鍵管理ファイル８０を参照して、自システムの認証情報およびＷｅｂサーバシステム１０の公開鍵を読出す。次いで、ルータ５４は、受信した出向者支援データおよび認証情報を、読み出した公開鍵で暗号化してカプセル化する。そして、ルータ５４は、アドレス・鍵管理ファイル８０を参照してＷｅｂサーバシステム１０のグローバルアドレス（ルータ３７のグローバルアドレス）を読出し、カプセル化した出向者支援データ（認証情報付き）にグローバルアドレスをセットしてインターネットＶＰＮ４に送信する（ステップＳ２）。
【００７０】
Ｗｅｂサーバシステム１０のルータ３７は、インターネットＶＰＮ４を介して送信されてきた出向者支援データを受信し、アドレス・鍵管理ファイル３８を参照して自システム１０の秘密鍵を読出す。次いで、ルータ３７は、受信した出向者支援データを、読み出した秘密鍵で復号化し、復号化した出向者支援データをコンピュータ３０に送信する（ステップＳ３）。
【００７１】
コンピュータ３０は、送信されてきた出向者支援データを受信し、その認証情報を対応するＷｅｂブラウザシステム２２の認証情報と照合処理して、一致するか否か判断する。
【００７２】
上記判断の結果、一致した場合にのみ、コンピュータ３０は、受信した出向者支援データを構成する各中継局３ａ１〜３ａｎ毎の設備基本データ、案内ポイント全体地図データ、案内ポイント位置データ・画像データ、電測ポイント全体地図データ、電測ポイント位置データ・画像データおよびパラメータデータおよび基本値データを、各中継局３ａ１〜３ａｎに対して設定した識別情報としてのユニークな中継局ナンバ（以下、ＮＯ．とも記載する）と共に中継局毎に関連付けて、出向者支援用リレーショナルデータベース（出向者支援用データベース）を構築し、構築したデータベースを大容量記憶装置３１に記憶する（ステップＳ４）。
【００７３】
すなわち、コンピュータ３０は、各中継局３ａ１〜３ａｎの設備基本データ（識別データ、位置データおよび設備形式データ）を、各中継局３ａ１〜３ａｎの中継局ＮＯ.（ＮＯ．１〜ＮＯ．ｎ）を主キーとして互いに関連付けて設備基本データテーブルＴ１を作成する（図４；ステップＳ４ａ）。
【００７４】
すなわち、図５に示すように、設備基本データテーブルＴ１には、各中継局３ａ１〜３ａｎの中継局ＮＯ.（ＮＯ．１〜ＮＯ．ｎ）のレコードとして、その各局に対応する設備基本データ（識別データ、位置データおよび設備形式データ）が格納されている。
【００７５】
次いで、コンピュータ３０は、各中継局３ａ１〜３ａｎの案内ポイント全体地図データ、案内ポイント位置データ、電測ポイント全体地図データおよび電測ポイント位置データを、各中継局３ａ１〜３ａｎの中継局ＮＯ.（ＮＯ．１〜ＮＯ．ｎ）を主キーとして互いに関連付けて地図データテーブルＴ２を作成する（ステップＳ４ｂ）。
【００７６】
すなわち、図６に示すように、地図データテーブルＴ２には、各中継局３ａ１〜３ａｎの中継局ＮＯ.（ＮＯ．１〜ＮＯ．ｎ）毎のレコードとして、その各局に対応する地図データ（各中継局３ａ１〜３ａｎの案内ポイント全体地図データ、案内ポイント位置データ、電測ポイント全体地図データおよび電測ポイント位置データが格納されている。
【００７７】
特に、各中継局３ａ１〜３ａｎの案内ポイント位置データは、対応する案内ポイントＮＯ．１、ＮＯ．２、…毎に区分されており、同様に、各中継局３ａ１〜３ａｎの電測ポイント位置データは、対応する電測ポイントＮＯ．１、ＮＯ．２、…毎に区分されている。
【００７８】
続いて、コンピュータ３０は、各中継局３ａ１〜３ａｎの各電測ポイントのパラメータデータ、基本値データおよび電測履歴データを、各中継局３ａ１〜３ａｎの中継局ＮＯ.（ＮＯ．１〜ＮＯ．ｎ）を主キーとして互いに関連付けて電測データテーブルＴ３を作成する（ステップＳ４ｃ）。
【００７９】
すなわち、図７に示すように、電測データテーブルＴ３には、各中継局３ａ１〜３ａｎの中継局ＮＯ.（ＮＯ．１〜ＮＯ．ｎ）毎のレコードとして、対応する電測データ（各中継局３ａ１〜３ａｎの電測ポイントの条件パラメータデータ、基本値データおよび電測履歴データ）が格納されている。
【００８０】
さらに、電測データテーブルＴ３の各中継局３ａ１〜３ａｎにおける中継局ＮＯ.（ＮＯ．１〜ＮＯ．ｎ）毎の各レコードには、過去の実際の計測結果を表す電測データの履歴が記憶されている。
【００８１】
すなわち、各中継局３ａ１〜３ａｎの電測基本データおよび電測データは、対応する電測ポイントＮＯ．１、ＮＯ．２、…毎に区分されている。
【００８２】
そして、コンピュータ３０は、各中継局３ａ１〜３ａｎの案内ポイント毎の案内ポイント画像データおよび電測ポイント毎の電測ポイント画像データを、各中継局３ａ１〜３ａｎの中継局ＮＯ.（ＮＯ．１〜ＮＯ．ｎ）を主キーとして互いに関連付けて画像データテーブルＴ４を作成する（ステップＳ４ｄ）。
【００８３】
すなわち、図８に示すように、画像データテーブルＴ４には、各中継局３ａ１〜３ａｎの中継局ＮＯ.（ＮＯ．１〜ＮＯ．ｎ）毎のレコードとして、案内ポイント毎の案内画像データおよび電測ポイント毎の電測画像データが格納されている。あるいは、画像データの代わりに、その画像データの格納場所を表す格納アドレスが格納されていてもよい。
【００８４】
図５〜図８に示すデータテーブルＴ１〜Ｔ４で構築された出向支援用データベース３３は、中継局ＮＯ．（ＮＯ．１〜ＮＯ．ｎ）を主キーとしてそれぞれのテーブル間が互いに関連付けられている特徴、すなわち、リレーショナルデータベース構造を有している。
【００８５】
コンピュータ３０は、ステップＳ４ａ〜４ｄの処理により構築された出向支援用データベース３３を大容量記憶装置３１に記憶する（ステップＳ４参照）。
【００８６】
一方、Ｗｅｂサーバシステム１０のルータ３７ｈは、中継局３ａ１〜３ａｎの監視装置１８ａ１、１８ａ２、１８ｂ２〜１８ａｎ、１８ｂｎの内の少なくとも１つの装置から警報通知メールが送信されてきたか否か判断しており（ステップＳ５）、この判断の結果ＮＯ（未送信）の場合には、ステップＳ５の判断を繰り返し行っている。
【００８７】
ここで、中継局３ａ１〜３ａｎの監視装置１８ａ１、１８ａ２、１８ｂ２〜１８ａｎ、１８ｂｎの内、例えば、中継局３ａ２の監視装置１８ａ２により、対応する中継局３ａ２（受信局）の複数の中継機器の何れかにおいて何らかの異常が検出された場合には、その監視装置１８ａ２は、上記異常内容等を表す警報通知メールを作成し、メモリ６０のアドレス・鍵管理ファイルを参照してＷｅｂサーバシステム１０の固有ＩＰアドレスを読出し、生成した警報通知メールを、読み出した固有ＩＰアドレスを宛先としてルータ６４に送信する（ステップＳ６）。
【００８８】
ルータ６４は、送信されてきた警報通知メールを受信し、アドレス・鍵管理ファイルを参照してＷｅｂサーバシステム１０の公開鍵を読出す。次いで、ルータ６４は、受信した警報通知メールおよび認証情報を、読み出した公開鍵で暗号化してカプセル化する。そして、ルータ６４は、アドレス・鍵管理ファイルを参照してＷｅｂサーバシステム１０のグローバルアドレスを読出し、カプセル化した警報通知メール（認証情報付き）にグローバルアドレスをセットしてインターネットＶＰＮ４に送信する（ステップＳ７）。
【００８９】
Ｗｅｂサーバシステム１０のルータ３７に警報通知メールが受信されると、ルータ３７のステップＳ５の判断結果はＹＥＳとなり、ルータ３７は、アドレス・鍵管理ファイル３８を参照して自システム１０の秘密鍵を読出す。次いで、ルータ３７は、受信した警報通知メールを、読み出した秘密鍵で復号化し、復号した警報通知メールをコンピュータ３０に送信する（ステップＳ８）。
【００９０】
コンピュータ３０は、送信されてきた警報通知メールを受信し、その認証情報を対応する監視装置１８ａ２の認証情報と照合処理して、一致するか否か判断する。
【００９１】
そして、上記判断の結果、一致した場合にのみ、コンピュータ３０は、出向者支援用データベース３３を参照して、警報通知メール送信先の監視装置１８ａ２に対応する出向者支援データ（監視装置１８ａ２に対応する中継局３ａ２の設備基本データ、地図データ、電測データおよび画像データ）をそれぞれデータベース３２から読出し、読み出した送信元中継局３ａ２の設備基本データ、地図データ、電測データおよび画像データから、ＨＴＭＬに基づく閲覧用出向者支援データ（ＨＴＭＬファイル；すなわち、中継局３ａ２の設備基本データ、地図データ、電測データおよび画像データを含み、Ｗｅｂブラウザで閲覧および動的サービスを要求できるコンテンツファイル）を作成する（ステップＳ９）。
【００９２】
そして、コンピュータ３０は、作成した閲覧用出向者支援データをコンテンツ用データベース３２に蓄積するとともに、施工／保守事業者側Ｗｅｂブラウザシステム２０に割り当てられたグローバルＩＰアドレスを宛先としてルータ３７に送信する（ステップＳ１０）。
【００９３】
Ｗｅｂサーバシステム１０のルータ３７は、送信されてきた閲覧用出向者支援データを受信し、アドレス・鍵管理ファイル３８を参照して、自システムの認証情報および施工／保守事業者側Ｗｅｂブラウザシステム２０の公開鍵を読出す。次いで、ルータ３７は、受信した閲覧用出向者支援データおよび認証情報を、読み出した公開鍵で暗号化してカプセル化する。そして、ルータ３７は、施工／保守事業者側Ｗｅｂブラウザシステム２０に対して割り当てられたグローバルＩＰアドレスを、カプセル化した閲覧用出向者支援データ（認証情報付き）にセットしてインターネットＶＰＮ４に送信する（ステップＳ１１）。
【００９４】
Ｗｅｂブラウザシステム２０のルータ４４は、インターネットＶＰＮ４を介して送信されてきた閲覧用出向者支援データを受信し、アドレス・鍵管理ファイル４６を参照して自システム２０の秘密鍵を読出す。次いで、ルータ４４は、受信した閲覧用出向者支援データを、読み出した秘密鍵で復号化し、復号化した閲覧用出向者支援データをコンピュータ４１に送信する（ステップＳ１２）。
【００９５】
コンピュータ４１は、送信されてきた閲覧用出向者支援データを受信し、その認証情報を対応するＷｅｂサーバシステム１０の認証情報と照合処理して、一致するか否か判断する。
【００９６】
上記判断の結果、一致した場合にのみ、コンピュータ４１は、閲覧用出向者支援データに基づいて、出向対象となる中継局（中継局３ａ２）を特定し、業務スケジュール管理データベース４５を介して各出向者の業務スケジュールを参照し、最も適した（例えば、場所的に近い）出向者（例えば、Ｗｅｂブラウザ端末２１ａ１を携帯する出向者）を特定する（ステップＳ１３）。
【００９７】
次いで、コンピュータ４１は、特定した出向者のＷｅｂブラウザ端末２１ａ１に割り当てられたグローバルＩＰアドレスを宛先として、閲覧用出向者支援データをルータ４４に送信する（ステップＳ１４））。
【００９８】
Ｗｅｂブラウザシステム２０のルータ４４は、送信されてきた閲覧用出向者支援データを受信し、アドレス・鍵管理ファイルを参照して、自システムの認証情報およびＷｅｂブラウザ端末２１ａ１の公開鍵を読出す。次いで、ルータ４４は、受信した閲覧用出向者支援データおよび認証情報を、読み出した公開鍵で暗号化してカプセル化する。そして、ルータ４４は、Ｗｅｂブラウザ端末２１ａ１に対して割り当てられたグローバルＩＰアドレスを、カプセル化した閲覧用出向者支援データ（認証情報付き）にセットしてインターネットＶＰＮ４に送信する（ステップＳ１５）。
【００９９】
Ｗｅｂブラウザ端末２１ａ１の無線通信インタフェース７３は、送信されてきた閲覧用出向者支援データを受信し、アドレス・鍵管理ファイル７７を参照して自端末２１ａ１の秘密鍵を読出す。次いで、無線通信インタフェース７３は、受信した閲覧用出向者支援データを、読み出した秘密鍵で復号化し、復号化した閲覧用出向者支援データをコンピュータ７０に送信する（ステップＳ１６）。
【０１００】
コンピュータ７０は、送信されてきた閲覧用出向者支援データを受信し、その認証情報を対応するＷｅｂブラウザシステム２０の認証情報と照合処理して、一致するか否か判断する。
【０１０１】
上記判断の結果、一致した場合にのみ、コンピュータ７０は、閲覧用出向者支援データをメモリ７７に記憶する（ステップＳ１７）。
【０１０２】
この結果、出向対象となる中継局１８ａ２へ出向する出向者は、自らが携帯するＷｅｂブラウザ携帯端末２１ａ２に送信（ダウンロード）された閲覧用出向者支援データにおける所望のデータを、所望時にディスプレイ７１上に表示させることができる。
【０１０３】
例えば、出向者が対象となる中継所３ａ２の設備基本情報（例えば、送信所・受信所の名称、住所、送信所・受信所の位置情報[緯度・経度]、送信系の仕様[出力ワット、アンテナ形式等]、受信系の仕様[親局の名称、アンテナ形式等]等）を視認したい場合には、端末２１ａ１の入力部７２を操作して、メニュー画面表示コマンドを入力する。
【０１０４】
このとき、コンピュータ７０は、メモリ７７に記憶されたＷｅｂブラウザ７８およびプログラム７９に従って、入力されたメニュー画面表示コマンドを受信し、メモリ７７に記憶された閲覧用出向者支援データに基づいて、出向者支援用メニュー画面ＭＩを作成してディスプレイ７１に表示する（図１０；ステップＳ２０）。
【０１０５】
図１１は、ディスプレイ７１に表示された出向者支援用メニュー画面ＭＩを示す図である。図１１に示すように、出向者支援用メニュー画面ＭＩには、出向者支援用データ表示用の表示領域ＡＲ１と、入力部７２を介して動的サービス要求（コマンド）を入力可能なコマンド入力領域ＡＲ２とがそれぞれ表示されている。なお、図中Ｃは、入力部７２の操作により画面ＭＩを移動して当該画面ＭＩ上の構成要素を選択指示できるカーソルである。
【０１０６】
すなわち、コマンド入力領域ＡＲ２には、設備基本データ表示コマンドに対応するグラフィカルなボタンＰＢ１と、現地案内全体地図データ表示コマンドに対応するグラフィカルなボタンＰＢ２と、案内ポイント指定用および指定された案内ポイントの位置・画像データ表示コマンドに対応するグラフィカルなボタンＰＢ３とがそれぞれ表示されている。
【０１０７】
また、コマンド入力領域ＡＲ２には、電測ポイント全体地図データ表示コマンドに対応するグラフィカルなボタンＰＢ４と、電測ポイント指定用および指定された電測ポイントの位置・画像データ表示コマンドに対応するグラフィカルなボタンＰＢ５と、電測ポイント指定用および指定された電測ポイントの電測データ入力画面表示コマンドに対応するグラフィカルなボタンＰＢ６とがそれぞれ表示されている。
【０１０８】
次いで、出向者は、中継所３ａ２の設備基本情報を表示させるために、入力部７２を操作してカーソルＣを移動させて、対応するボタンＰＢ１をクリックする。
【０１０９】
このとき、コンピュータ７０は、ボタンＰＢ１のクリックに対応する設備基本データ表示コマンドを受信し（ステップＳ２１）、この受信表示コマンドが案内ポイント／電測ポイント表示コマンドであるか否か判断する（ステップＳ２２）。
【０１１０】
今、受信表示コマンドは設備基本データ表示コマンドであるため、ステップＳ２２の判断はＮＯとなり、コンピュータ７０は、受信表示コマンドが電測データ入力用コマンドであるか否かさらに判断する（ステップＳ２３）。
【０１１１】
このステップＳ２３の判断もＮＯであるため、コンピュータ７０は、表示コマンド（設備基本データ表示コマンド）に対応するデータ（設備基本データ）をメモリ７７に記憶された閲覧用出向者支援データから読出し（ステップＳ２４）、読み出した設備基本データをディスプレイ７１の表示領域ＡＲ１に表示する（ステップＳ２５）。
【０１１２】
この結果、図１１のデータ表示領域ＡＲ１には、例えば図５に示す中継局ＮＯ.２（中継局３ａ２に対応）のフィールドに対応するデータが表示される。
【０１１３】
したがって、出向者は、携帯する端末２１ａ１のディスプレイ７１に表示された出向先の中継局３ａ２の設備基本情報を視認することができ、その中継局３ａ２の中継設備を容易に特定することができる。
【０１１４】
また、例えば、出向者が現地案内全体地図データ表示コマンド用のボタンＰＢ２や電測ポイント全体地図データ表示コマンド用のボタンＰＢ５をクリックした場合においても、コンピュータ７０の上述したステップＳ２２〜Ｓ２５の処理により、ディスプレイ７１には、対応する現地案内全体地図データ（情報）や電測ポイント全体地図データ（情報）が表示される。
【０１１５】
したがって、出向者は、携帯する端末２１ａ１のディスプレイ７１に表示された出向先の中継局３ａ２に対応する現地の全体地図情報や上記中継局３ａ２の電測ポイントを全て示す全体地図情報を視認することができ、その全体的な位置関係を容易に把握することができる。
【０１１６】
一方、今、出向者が上述した中継局３ａ２の現地案内全体地図情報等を参考にして中継局３ａ２の最寄の交通地点（最寄駅、バス停等）まで到達し、案内ルートに沿って中継局３ａ２へ進んでいるものとする。
【０１１７】
このとき、上述したように、中継局３ａ２は山間部や僻地等に設置されているため、出向者は、自分が実際に案内ルート上を進んでいるのか、案内ルート上の案内ポイントは何処なのかを、周りの風景等から認識することは、非常に困難である場合が多い。
【０１１８】
そこで、出向者は、入力部７２を操作してカーソルＣを移動させて、対応するボタンＰＢ３上の入力エリアＩＡ１に対して、自ら位置データおよび画像データを表示させたい案内ポイント（例えば案内ポイントＮＯ.３）を選択入力し、ボタンＰＢ３をクリックする。
【０１１９】
このとき、コンピュータ７０は、ボタンＰＢ３のクリックに対応する案内ポイント表示コマンドを受信し（ステップＳ２１参照）、この受信表示コマンドが案内ポイント／電測ポイント表示コマンドであるか否か判断する（ステップＳ２２参照）。
【０１２０】
今、受信表示コマンドは案内ポイント表示コマンドであるため、ステップＳ２２の判断はＹＥＳとなり、コンピュータ７０は、対応する案内ポイント（ＮＯ．３）の位置データ[緯度（N）、経度（E）]および画像データを、メモリ７７に記憶された閲覧用出向者支援データから読出す（ステップＳ２６）。
【０１２１】
ステップＳ２６の処理と同時に、コンピュータ７０は、ＧＰＳ受信部７４から周期的に送信されてくる自端末の現在位置情報（緯度／経度情報）に基づいて、端末２１ａ１の現在位置[緯度／経度]、すなわち、端末２１ａ１を携帯する出向者の現在位置データを求める（ステップＳ２７）。
【０１２２】
次いで、コンピュータ７０は、読み出した案内ポイント（ＮＯ．３）の位置データ・画像データと出向者の現在位置データとを組み合わせて、案内ポイントＮＯ.３に対するナビゲート画面を生成する（ステップＳ２８）。
【０１２３】
続いて、コンピュータ７０は、生成したナビゲート画面ＮＡをディスプレイ７１の出向者支援用メニュー画面ＭＩにおける表示領域ＡＲ１に表示する（ステップＳ２９）。
【０１２４】
図１２は、出向者支援用メニュー画面ＭＩの表示領域ＡＲ１上に表示されたナビゲート画面ＮＡを示す図である。
【０１２５】
図１２に示すように、ナビゲート画面ＮＡには、案内ポイントＮＯ.３の画像データＩ１、案内ポイントＮＯ.３の位置データＰＡ１（緯度Ｎ：ＸＸＸＸ、経度Ｅ:ＹＹＹＹ）および出向者の現在位置データＰＢ１（緯度Ｎ：ＸＸＸ１、経度Ｅ:ＹＹＹ１）がそれぞれ表示されている。
【０１２６】
したがって、出向者は、携帯する端末２１ａ１のディスプレイ７１に表示された案内ポイントＮＯ.３の画像データＩ１を視認することにより、案内ポイントＮＯ.３の周囲の状況を容易に把握して、案内ポイントＮＯ.３を容易に特定することができる。
【０１２７】
また、出向者は、案内ポイントＮＯ.３の位置データＰＡ１（緯度Ｎ：ＸＸＸＸ、経度Ｅ:ＹＹＹＹ）および出向者の現在位置データＰＢ１（緯度Ｎ：ＸＸＸ１、経度Ｅ:ＹＹＹ１）を視認することにより、案内ポイントＮＯ.３の現在位置、および自分の現在位置と案内ポイントＮＯ.３の現在位置との相対的位置関係を容易に把握することができる。
【０１２８】
このように、案内ルート上の全ての案内ポイントに対して上述したナビゲート画面表示を行うことができるため、出向者は、案内ルートに沿って中継局３ａ２に向かって確実に進むことができ、道に迷う危険性を大幅に減少することができる。
【０１２９】
このようにして、出向者が中継局３ａ２へ到達し、中継局３ａ２（受信アンテナ１３ａ２を含む受信設備１４ａ２、送信アンテナ１６ａ２を含む送信設備１７ａ２）の保守作業を行う。
【０１３０】
この保守作業の一つとして、点検用の電測ポイント（放送電波チェックポイント）において、送信設備１７ａ２から送信される放送電波（放送信号）を測定する際においても、上述したように、中継局３ａ２が山間部や僻地等に設置されているため、出向者は、周りの風景等から正確な電測ポイントを認識・特定することは非常に困難である。
【０１３１】
そこで、出向者は、案内ポイント表示コマンド用のボタンＰＢ３の代わりにボタンＰＢ５を選択し、その入力エリアＩＡ２に対して、例えば自ら位置データおよび画像データを表示させたい電測ポイントＮＯ.（例えば電測ポイントＮＯ.３）を入力してボタンＰＢ５をクリックする。
【０１３２】
このとき、コンピュータ７０の上述したステップＳ２６〜Ｓ２９の処理により｛但し、案内ポイント（ＮＯ．３）の位置データ[緯度（N）、経度（E）]および画像データの代わりに、電測ポイント（ＮＯ．３）の位置データ[緯度（N）、経度（E）]および画像データとなる｝、図１３に示すように、ディスプレイ７１の出向者支援用メニュー画面ＭＩにおける表示領域ＡＲ１には、電測ポイントＮＯ.３に対するナビゲート画面ＮＢが表示される。
【０１３３】
図１３に示すように、ナビゲート画面ＮＢには、電測ポイントＮＯ.３の画像データＩ２、電測ポイントＮＯ.３の位置データＰＡ２（緯度Ｎ：ＸＸＺＺ、経度Ｅ:ＹＹＺＺ）および出向者の現在位置データＰＢ２（緯度Ｎ：ＸＸＺＺ、経度Ｅ:ＹＹＺＸ）がそれぞれ表示されている。
【０１３４】
したがって、出向者は、携帯する端末２１ａ１のディスプレイ７１に表示された電測ポイントＮＯ.３の画像データＩ２を視認することにより、電測ポイントＮＯ.３の周囲の状況を容易に把握して、電測ポイントＮＯ.３を容易に特定することができる。
【０１３５】
また、出向者は、電測ポイントＮＯ.３の位置データＰＡ２（緯度Ｎ：ＸＸＺＺ、経度Ｅ:ＹＹＺＺ）および出向者の現在位置データＰＢ２（緯度Ｎ：ＸＸＺＺ、経度Ｅ:ＹＹＺＸ）を視認することにより、電測ポイントＮＯ.３の現在位置、および自分の現在位置と電測ポイントＮＯ.３の現在位置との相対的位置関係を容易に把握することができる。
【０１３６】
すなわち、出向者は、非常に容易かつ短時間で全ての電測ポイントを特定し、そのポイントに短時間で到達することができる。
【０１３７】
また、上述した処理により特定・到達した電測ポイント（例えば、電測ポイントＮＯ.３）において、その電測ポイントの条件パラメータ値等の電測基本データや、電測履歴データを参照しながら実際に放送電波（放送信号）を測定する場合、出向者は、案内ポイント表示コマンド用のボタンＰＢ５の代わりにボタンＰＢ６を選択し、その入力エリアＩＡ３に対して電測ポイントＮＯ.（例えば、電測ポイントＮＯ.３）を入力してボタンＰＢ５をクリックする。
【０１３８】
このとき、コンピュータ７０は、上述したステップＳ２６の処理を実行｛但し、案内ポイント（ＮＯ．３）の位置データ[緯度（N）、経度（E）]および画像データの代わりに、電測ポイント（ＮＯ．３）の位置データ[緯度（N）、経度（E）]および画像データとなる｝して電測ポイント（ＮＯ．３）の位置データ[緯度（N）、経度（E）]および画像データを求める。
【０１３９】
そして、コンピュータ７０は、対応する電測ポイント（ＮＯ．３）の電測データ（電測ポイントＮＯ.３の条件パラメータデータ、基本値データおよび電測履歴データを、メモリ７７に記憶された閲覧用出向者支援データから読出し、求めた電測ポイント（ＮＯ．３）の位置データ・画像データおよび電測データ（電測ポイントＮＯ.３の条件パラメータデータ、基本値データおよび電測履歴データ）に基づいて、電測ポイントＮＯ.３に対する電測データ入力画面を生成する（ステップＳ３０）。
【０１４０】
そして、コンピュータ７０は、生成した電測データ入力画面ＥＤをディスプレイ７１の出向者支援用メニュー画面ＭＩにおける表示領域ＡＲ１に表示する（ステップＳ３１）。
【０１４１】
この結果、図１４に示すように、電測データ入力画面ＥＤには、電測ポイントＮＯ.３の画像データＩ２および電測ポイントＮＯ.３の位置データＰＡ２（緯度Ｎ：ＸＸＺＺ、経度Ｅ:ＹＹＺＺ）に加えて、電測ポイントＮＯ.３のポイント条件を表すパラメータ値ＥＥ１、パラメータ値ＥＥ１により求められた電測ポイントＮＯ.３の基本値（理論値）ＥＥ２、電測ポイントＮＯ.３の電測履歴値ＥＥ３および測定値入力エリアＡＲ３が互いに対応付けられて表示されている。
【０１４２】
したがって、出向者は、ディスプレイ７１に表示された電測値の測定を行う電測ポイントＮＯ.３のパラメータ値ＥＥ１、基本値ＥＥ２および電測履歴値ＥＥ３を参考にしながら、電測値の測定や、その測定値の検証等を容易に行うことができる。
【０１４３】
特に、出向者は、実際に電測値を測定する際に、電測ポイントＮＯ.３の画像データＩ２に表示された実際の測定状態を参考にすることにより、限りなく同条件に近い状態で電測値の計測を行うことができ、その信頼性を高めることができる。
【０１４４】
そして、本実施形態によれば、出向者は、電測ポイントＮＯ.３の測定状態を含むその電測ポイントＮＯ.３に係わる新たな画像データ（特に、測定ポイントＮＯ.３が過去の状態から変化した場合）をデジタルカメラ７５により撮像し、撮像した画像データおよび電測ポイントＮＯ.３の実測データをＷｅｂサーバシステム１０に向けてアップロードすることも可能である。この結果、Ｗｅｂサーバシステム１０側において、送られたデータに基づくリアルタイムの監視／検討処理が可能になる。
【０１４５】
以上述べたように、本実施形態によれば、各中継局３ａ１〜３ａｎ毎の設備基本データ、案内ポイント全体地図データ、案内ポイント位置データ・画像データ、電測ポイント全体地図データ、電測ポイント位置データ・画像データおよびパラメータデータおよび基本値データを各中継局３ａ１〜３ａｎに対して設定した識別情報としてのユニークな中継局ＮＯ．と共に中継局毎に関連付けて、出向者支援用データベース３３をＷｅｂサーバシステム１０内に構築している。
【０１４６】
したがって、ある中継局（例えば、中継局３ａ２）から異常を表す警告通知メールがＷｅｂサーバシステム１０により受信された際に、このＷｅｂサーバシステム１０から対応する中継局３ａ２の出向者支援用データ（設備基本データ、案内ポイント全体地図データ、案内ポイント位置データ・画像データ、電測ポイント全体地図データ、電測ポイント位置データ・画像データおよびパラメータデータおよび基本値データ）を施工／保守事業者側Ｗｅｂブラウザシステム２０に送信（ダウンロード）することができる。
【０１４７】
したがって、施工／保守事業者側Ｗｅｂブラウザシステム２０を介して出向者支援用データがダウンロードされているＷｅｂブラウザ端末を携帯する出向者は、何時でも、すなわち状況に応じて所望の出向者支援用データを端末のディスプレイに表示して閲覧することができる。
【０１４８】
例えば、施工／保守時において中継設備の仕様等を知りたい場合には、対応する設備基本データに基づく画面をディスプレイに表示して閲覧すればよい。
【０１４９】
また、特に、山間部や僻地に建設されることが多い中継局までの案内ルートおよび案内ポイントの位置を知りたい場合には、対応する案内ポイント全体地図データ、案内ポイント位置データ・画像データに基づく画面をディスプレイに表示すればよい。
【０１５０】
さらに、山間部や僻地に建設されることが多い中継局の周辺の電測ポイントの位置を知りたい場合においても、対応する電測ポイント全体地図データ、電測ポイント位置データ・画像データに基づく画面をディスプレイに表示すればよい。
【０１５１】
特に、端末に搭載されたＧＰＳ機能を利用すれば、知りたい案内ポイント／電測ポイントの位置と自端末の現在位置（すなわち、出向者の現在位置）との相対位置関係も容易に把握することができる。
【０１５２】
したがって、出向者の施工／保守対象となる中継局に対する施工／保守効率を大幅に向上させることができる。
【０１５３】
特に、中継局や電測ポイントの位置特定に要する時間を大幅に短縮することができ、施工／保守効率をさらに向上させ、かつ中継局の信頼性を向上させることができる。
【０１５４】
上述した実施形態では、出向者支援用データ（設備基本データ、案内ポイント全体地図データ、案内ポイント位置データ・画像データ、電測ポイント全体地図データ、電測ポイント位置データ・画像データおよびパラメータデータおよび基本値データ）を全てダウンロードしているが、必要に応じて少なくとも一部のデータのみダウンロードすることも当然可能である。
【０１５５】
なお、本実施形態においては、監視装置からの警告メールに応じてＷｅｂサーバシステムから施工／保守事業者側Ｗｅｂブラウザシステムへ対応する出向者支援用データが送信（ダウンロード）されるように構成したが、本発明はこれに限定されるものではない。
【０１５６】
例えば、施工／保守事業者側Ｗｅｂブラウザシステムから不定期的または定期的にＷｅｂサーバシステムにアクセスして、少なくとも１つの所望の中継局の出向者支援用データを出向者支援用データベース３３からダウンロードし、ダウンロードした出向者支援用データを所望の上ブラウザ端末へ転送することも可能である。
【０１５７】
また、Ｗｅｂブラウザ端末から不定期的または定期的にＷｅｂサーバシステムにアクセスして、少なくとも１つの所望の中継局の出向者支援用データを直接ダウンロードすることも可能である。このＷｅｂブラウザ端末としては、携帯電話、ＰＤＡ等が利用できる。
【０１５８】
すなわち、Ｗｅｂブラウザが搭載されたシステムであれば、何時でも、Ｗｅｂサーバシステムにアクセスして、少なくとも１つの所望の中継局の出向者支援用データを直接ダウンロードすることが可能である。
【０１５９】
さらに、本実施形態では、出向者側Ｗｅｂブラウザ端末を、出向者が携帯可能な携帯可能なＷｅｂブラウザ端末としたが、本発明はこれに限定されるものではない。例えば、上記Ｗｅｂブラウザが搭載されたシステムの一例として、移動体（例えば、車両等、以下、車両とする）１００ａ１〜１００ａｎに予め搭載されたＷｅｂブラウザ機能搭載型ナビゲーション端末１０１ａ１〜１０１ａｎを利用することもできる。
【０１６０】
図１５は、Ｗｅｂブラウザ端末をナビゲーション端末１０１ａ１〜１０１ａｎとした場合の出向者支援システム１Ａの全体構成を示す図である。
【０１６１】
図１５に示すように、出向者支援システム１Ａは、出向者が携帯可能なＷｅｂブラウザ端末２１ａ１〜２１ａｎの代わりに、出向者が乗って移動できる車両１００ａ１〜１００ａｎに搭載されたドライバ案内（ナビゲーション）用のナビゲーション端末１０１ａ１〜１０１ａｎを備えている。なお、その他の構成要素については、図１に示す構成要素と略同等であるため、同一の符号を付してその説明は省略または簡略化する。
【０１６２】
図１６は、図１５に示すナビゲーション端末のハードウエア構成を示す図である。
【０１６３】
図１６に示すように、各ナビゲーション端末１０１ａ１〜１０１ａｎ（図１５では、ナビゲーション端末１０１ａ１のみ示しているが、他のブラウザ端末１０１ａ２〜１０１ａｎも同様である）は、図２に示すディスプレイ７１、入力部７２、無線通信インタフェース７３、ＧＰＳ受信器７４および外部インタフェース７６を備えている。
【０１６４】
また、各ナビゲーション端末１０１ａ１〜１０１ａｎは、メモリ１０２を備えている。このメモリ１０２には、後述するコンピュータにナビゲーション機能を実現させるナビゲーション用プログラム１０３に加えて、上述したコンテンツファイル閲覧用および動的サービス要求用のＷｅｂブラウザ７８と、メール送受信用ソフトウエア等を含むプログラム７９と、アドレス・鍵管理ファイル８０とがそれぞれ記憶されている。
【０１６５】
さらに、各ナビゲーション端末１０１ａ１〜１０１ａｎは、コンピュータ１０５を備えている。このコンピュータ１０５は、ナビゲーション用プログラム１０３に基づいてドライバ／同乗者である出向者に対して目的地までの走行ルート情報を探索し、探索した走行ルート情報を出向者に提供する機能を有している。
【０１６６】
そして、コンピュータ１０５は、上述したナビゲート処理に加えて、Ｗｅｂブラウザ７８およびプログラム７９に従って動作して、無線通信インタフェース７３を介してＷｅｂサーバシステム１０にアクセスして、所定のコンテンツ閲覧要求や動的サービス要求を実行できるようになっている。
【０１６７】
そして、各ナビゲーション端末１０１ａ１〜１０１ａｎは、少なくとも出向者が管轄する施工／保守エリアの地図画像情報を記憶する例えばＤＶＤ等の大容量記憶媒体から構成された地図画像記憶部１１０と、上記走行ルート情報を音声で出力するための音声出力部１１１とを備えている。
【０１６８】
さらに、各ナビゲーション端末１０１ａ１〜１０１ａｎは、コンピュータ１０５が処理した例えば走行ルート情報、Ｗｅｂコンテンツ等を印刷出力するためのプリンタ１１２を備えている。
【０１６９】
すなわち、本変形例の構成によれば、前掲図９に示したように、施工／保守事業者側Ｗｅｂブラウザシステム２０のコンピュータ４１は、特定した中継局３ａ２に最も適した出向者（例えば、ナビゲーション端末１０１ａ１が搭載された車両１００ａ１に乗車する出向者）に対して、閲覧用出向者支援データとして、設備基本データ、案内ポイント位置データ、電測ポイント位置データ、パラメータデータおよび基本値データをダウンロードする（ステップＳ１３〜Ｓ１５参照）。
【０１７０】
閲覧用出向者支援データがダウンロードされてくると、ナビゲーション端末１０１ａ１の無線通信インタフェース７３は、ステップＳ１６と同様の復号化処理を行って、復号化した閲覧用出向者支援データをコンピュータ１０５に送信する（図１７；ステップＳ４０）。コンピュータ１０５は、ステップＳ１７と同様に、認証処理で正式な送信元と判断された場合に、閲覧用出向者支援用データをメモリ１０２に記憶する（ステップＳ４１）。
【０１７１】
次いで、出向者は、対象となる中継局３ａ２の設備基本情報（特に、送信所・受信所の名称、住所等）を視認するために、端末１０１ａ１の入力部７２を操作して、メニュー画面表示コマンドを入力する。
【０１７２】
このとき、コンピュータ１０５は、前掲図１０のステップＳ２０と同様の処理により、出向者支援用メニュー画面ＭＩを作成してディスプレイ７１上に表示された通常のナビゲーション画面ＮＩ上に例えばサブウインドウとして重畳表示する（図１８参照）。
【０１７３】
次いで、出向者の入力部７２操作に基づく設備データ表示コマンド送信処理に応じて、コンピュータ１０５は、ステップＳ２２〜Ｓ２５と同様の処理を実行して、設備基本データＥＤをディスプレイ７１の表示領域ＡＲ１に表示する。
【０１７４】
ここで、出向者は、入力部７２を操作して、上記設備基本データＥＤにおける中継局３ａ２の識別情報（送信所・受信所の名称、住所等）を検索キーとして検索コマンドを入力する。このとき、コンピュータ１０５は、検索コマンドにおける検索キーを用いて地図画像記憶部１１０を参照し、ＧＰＳ受信部７４から周期的に送信されてくる自端末の現在位置情報（緯度／経度情報）に基づく現在位置および現在位置周辺の道路混雑情報等から対象となる中継局３ａ２までの最適な走行ルート（例えば、道路混雑情報を考慮して最も短時間で到達できる走行ルート）を求める（ステップＳ４２）。
【０１７５】
次いで、コンピュータ１０５は、自端末の現在位置からの走行ルートに対応する地図画像を地図画像記憶部１１０から順次読み出して、自端末の現在位置および走行方向を表すマーカＭや目的地までの時間等を含むナビゲーション情報と共にナビゲーション画面ＮＩに更新表示している（ステップＳ４３；図１９参照）。
【０１７６】
また、コンピュータ１０５は、ステップＳ４３の処理と同時に、必要に応じて走行ルートに関するナビゲート情報｛現在走行位置の地名等の識別情報、目的地（中継局３ａ２）までの時間（走行ルートの混雑情報を含む）等｝を音声出力部１１１を介して出力する（ステップＳ４４）。
【０１７７】
この結果、出向者は、ディスプレイ７１に表示された地図画像を視認し、音声出力部１１１を介して出力されるナビゲート情報を聴きながら、目的地である中継局３ａ２に向かって自車両１００ａ１を走行させることができる。
【０１７８】
なお、中継局３ａ２は、山間部や僻地等に設置されているため、中継局３ａ２に対する直接の走行ルートは探索不可能な場合もある。
【０１７９】
例えば、ステップＳ４３の処理において、コンピュータ１０５が、中継局３ａ２周辺の所定位置までの走行ルートを示し、残りの走行ルートが不明である内容のメッセージをナビゲーション画面ＮＩに表示したとする（図２０；ステップＳ５０）。
【０１８０】
このとき、出向者は、入力部７２を操作してカーソルＣを移動させて、対応するボタンＰＢ３上の入力エリアＩＡ１に対して、何れか１つの案内ポイント（例えば案内ポイントＮＯ.３）を選択入力し、ボタンＰＢ３をクリックする。
【０１８１】
コンピュータ１０５は、ステップＳ２２の処理を経由して案内ポイント（ＮＯ．３）の位置データ[緯度（N）、経度（E）]を閲覧用出向者支援データから読出す（ステップＳ５１）。次いで、コンピュータ１０５は、読み出した案内ポイント（ＮＯ．３）の位置データ[緯度（N）、経度（E）]を検索キーとして地図画像記憶部１１０を参照し、ＧＰＳ受信部７４から周期的に送信されてくる自端末の現在位置情報（緯度／経度情報）に基づく現在位置から対象となる案内ポイント（ＮＯ．３）までの走行ルートを求める（ステップＳ５２）。
【０１８２】
次いで、コンピュータ１０５は、自端末の現在位置から案内ポイント（ＮＯ．３）までの走行ルートに対応する地図画像を地図画像記憶部１１０から順次読み出し、自端末の現在位置および走行方向を表すマーカＭや目的地までの時間等を含むナビゲーション情報と共にナビゲーション画面ＮＩに更新表示する（ステップＳ５３）。次いで、コンピュータ１０５は、案内ポイントまでの走行ルートに関するナビゲート情報を音声出力部１１１を介して出力する（ステップＳ５４）。
【０１８３】
この結果、出向者は、ディスプレイ７１に表示された地図画像を視認し、音声出力部１１１を介して出力されるナビゲート情報を聴きながら、中継局３ａ２に対する案内ポイントまでの走行ルートに沿って自車両１００ａ１を走行させることができる。
【０１８４】
また、中継局３ａ２に到着した後、点検用の電測ポイントを探す場合には、出向者は、入力部７２を操作してカーソルＣを移動させて、対応するボタンＰＢ５上の入力エリアＩＡ２に対して、所望の電測ポイントＮＯ.（例えば電測ポイントＮＯ.３）を選択入力して、ボタンＰＢ５をクリックする。
【０１８５】
このとき、コンピュータ１０５は、ステップＳ２２の処理を経由して電測ポイント（ＮＯ．３）の位置データ[緯度（N）、経度（E）]を閲覧用出向者支援データから読出す（ステップＳ５５）。次いで、コンピュータ１０５は、読み出した電測ポイント（ＮＯ．３）の位置データ[緯度（N）、経度（E）]を検索キーとして地図画像記憶部１１０を参照し、ＧＰＳ受信部７４から周期的に送信されてくる自端末の現在位置情報（緯度／経度情報）に基づく現在位置から対象となる電測ポイント（ＮＯ．３）までの走行ルートを求める（ステップＳ５６）。
【０１８６】
次いで、コンピュータ１０５は、自端末の現在位置から電測ポイント（ＮＯ．５）までの走行ルートに対応する地図画像を地図画像記憶部１１０から順次読み出して、自端末の現在位置を表すマーカと共にナビゲーション画面ＮＩに更新表示する（ステップＳ５７）。次いで、コンピュータ１０５は、電測ポイントまでの走行ルートに関するナビゲート情報を音声出力部１１１を介して出力する（ステップＳ５８）。
【０１８７】
この結果、出向者は、ディスプレイ７１に表示された地図画像を視認し、音声出力部１１１を介して出力されるナビゲート情報を聴きながら、中継局３ａ２に対する電測ポイントまでの走行ルートに沿って自車両１００ａ１を走行させることができる。
【０１８８】
さらに、本変形例の構成において、上述したコンピュータ１０５の中継局３ａ２、案内ポイントおよび電測ポイントの走行ルート探索処理において、車両１００ａ１では、走行不能な箇所に中継局３ａ２、案内ポイントおよび電測ポイントが存在することも多い。
【０１８９】
例えば、ステップＳ５２の処理において、出向者から指定された案内ポイントまでの走行ルートの探索が不能（走行不能）である場合（図２１；ステップＳ６０）、コンピュータ１０５は、対応する案内ポイントを含む案内ポイント全体地図データを閲覧用出向者支援データから読出す（ステップＳ６１）。そして、コンピュータ１０５は、読み出した案内ポイント全体地図データに基づく案内ポイント全体地図をプリンタ１１２を介して印刷出力する（ステップＳ６２）。
【０１９０】
電測ポイントまでの走行ルートの探索が不能の場合も同様である。
【０１９１】
この結果、出向者は、車両１００ａ１において走行することが不能な場所に案内ポイントや電測ポイントが存在する場合でも、その時点で印刷出力された案内ポイント全体地図や電測ポイント全体地図を参照し、所望の案内ポイントや電測ポイントに到達することが可能になる。
【０１９２】
もちろん、車両１００ａ１に乗車した出向者がＷｅｂブラウザ端末２１ａ１を有していれば、その時点で、Ｗｅｂブラウザ端末２１ａ１を利用して所望の案内ポイントや電測ポイントのナビゲート画面ＮＡ（図１２参照）やナビゲート画面ＮＢ（図１３参照）を表示することができる。
【０１９３】
以上述べたように、本変形例によれば、出向者側Ｗｅｂブラウザ端末として、車両１００ａ１〜１００ａｎに搭載されたＷｅｂブラウザ機能搭載型ナビゲーション端末１０１ａ１〜１０１ａｎを用いている。
【０１９４】
したがって、出向者は、出向対象となる中継局の位置データ、案内ポイント位置データ、電測ポイント位置データ等をダウンロードし、ダウンロードした位置データを検索キーとして、ナビゲーション端末１０１ａ１〜１０１ａｎのナビゲーション機能を利用することにより、出向対象となる中継局、案内ポイント、電測ポイント等の地図データや画像データをダウンロードすることなく、車両により目的地点まで到達することができる。
【０１９５】
この結果、出向者は、より迅速に中継局、案内ポイント、電測ポイント等の目的地点まで到達することができ、出向者の施工／保守効率をさらに向上させることができる。
【０１９６】
また、本変形例において、中継局、案内ポイント、電測ポイント等の目的地点が車両により到達不可能な場合や、その目的地点までの走行ルートが探索困難な場合であっても、出向者は、その地点を含む案内ポイント全体地図データや電測ポイント全体地図データをダウンロードしてディスプレイ７１に表示したり、プリンタ１１２を介して印刷出力することができる。
【０１９７】
したがって、出向者は、表示出力あるいは印刷出力された案内ポイント全体地図や電測ポイント全体地図を参照し、所望の目的地点（案内ポイントや電測ポイント等）に到達することができ、車両を用いた場合の問題点を解消することができる。
【０１９８】
さらに、出向者は、本変形例で説明したナビゲーション端末１０１ａ１〜１０１ａｎが搭載された車両１００ａ１〜１００ａｎを利用し、さらに、Ｗｅｂブラウザ端末２１ａ１〜２１ａｎを携帯して出向先に向かうこともできる。このように構成すれば、車両で到達できる位置まではナビゲーション端末１０１ａ１〜１０１ａｎを利用して車両により向かい、車両にて到達できないポイントに対しては、携帯したＷｅｂブラウザ端末２１ａ１〜２１ａｎを利用して到達することができる。
【０１９９】
すなわち、車両搭載型ナビゲーション端末および携帯型Ｗｅｂブラウザ端末それぞれの長所を生かして出向者を支援することができ、出向者の施工／保守効率をさらに向上させることができる。
【０２００】
なお、本実施形態においては、Ｗｅｂサイト（Ｗｅｂサーバシステム）を、インターネットＶＰＮ上の１つのコンピュータシステムにより構築したが、本発明はれに限定されないのはもちろんであり、Ｗｅｂサーバシステムをインターネット上に分散配置された複数のコンピュータシステム（複数のＷｅｂサーバ（ソフトウエア）等）で構築することも可能であり、コンテンツ用データベースおよび調達支援用データベースもインターネットＶＰＮ上に分散配置させることも可能である。
【０２０１】
さらに、上述した各実施形態においては、インターネットＶＰＮを介して出向者支援処理を行っているが、他の通信ネットワーク（例えば、イントラネット、一般電話回線による通信ネットワーク、専用線によるネットワーク）等でも適用可能である。
【０２０２】
最後に、本発明は、本実施形態に記載した構成に限定されるものではなく、本発明の主題および記載した請求項の範囲内においては、本発明の構成を多様に変更・変形して実施することが可能である。
【発明の効果】
以上に述べたように、本発明によれば、放送信号中継用の中継局の中継設備を特定する設備データ、中継局周辺に定められた当該中継局までの案内ルートを含む地図を表す地図データおよび案内ルートに関連して定められた複数の案内ポイントそれぞれの位置データが中継局の識別データと共に互いに関連付けられて構築された出向者支援用データベースを記憶しているため、出向者は、上記出向者支援用データベースから所望時（例えば、施工／保守時）に上記中継局に関する必要なデータを引き出すことができる。
【０２０３】
したがって、出向者は、何時でもデータベースから引き出した施工／保守に必要な情報を参照して上記中継局に対して施工／保守を行うことができ、施工／保守効率を大幅に向上させることができる。
【０２０４】
【図面の簡単な説明】
【図１】本発明の実施の形態に係る出向者支援システムの全体構成を示す図。
【図２】図１に示すＷｅｂサーバシステムおよびＷｅｂブラウザ端末のハードウエア構成を示す図。
【図３】図１に示すＷｅｂサーバシステム、Ｗｅｂクライアントシステム等の出向者支援処理の一例を示す概略フローチャート。
【図４】図３に示す出向者支援用データベース作成処理の一例を示す概略フローチャート。
【図５】図４に示す出向者支援用データベース作成処理により作成された設備基本データテーブルの一例を概略的に示す図。
【図６】図４に示す出向者支援用データベース作成処理により作成された地図データテーブルの一例を概略的に示す図。
【図７】図４に示す出向者支援用データベース作成処理により作成された電測データテーブルの一例を概略的に示す図。
【図８】図４に示す出向者支援用データベース作成処理により作成された画像データテーブルの一例を概略的に示す図。
【図９】図１に示すＷｅｂサーバシステム、Ｗｅｂクライアントシステム等の出向者支援処理の一例を示す概略フローチャート。
【図１０】図１および図２に示すＷｅｂブラウザ端末のコンピュータの処理の一例を示す概略フローチャート。
【図１１】図１および図２に示すＷｅｂブラウザ端末のディスプレイ画面に表示された画面例を示す図。
【図１２】図１および図２に示すＷｅｂブラウザ端末のディスプレイ画面に表示された画面例を示す図。
【図１３】図１および図２に示すＷｅｂブラウザ端末のディスプレイ画面に表示された画面例を示す図。
【図１４】図１および図２に示すＷｅｂブラウザ端末のディスプレイ画面に表示された画面例を示す図。
【図１５】本発明の実施の形態の変形例に係る出向者支援システムの全体構成を示す図。
【図１６】図１５に示すナビゲーション端末のハードウエア構成を示す図。
【図１７】本発明の実施の形態の変形例に係るナビゲーション端末のコンピュータの処理の一例を示す概略フローチャート。
【図１８】ナビゲーション端末のディスプレイに表示されたナビゲーション画面および出向者支援用メニュー画面を示す図。
【図１９】ナビゲーション端末のディスプレイに表示されたナビゲーション画面に表示されたナビゲーション情報を示す図。
【図２０】本発明の実施の形態の変形例に係るナビゲーション端末のコンピュータの処理の一例を示す概略フローチャート。
【図２１】本発明の実施の形態の変形例に係るナビゲーション端末のコンピュータの処理の一例を示す概略フローチャート。
【符号の説明】
１、１Ａ  出向者支援システム
２  放送局
３ａ１〜３ａｎ  中継局
４  仮想私設網（インターネットＶＰＮ）
１０  Ｗｅｂサーバシステム
１１  パラボラアンテナ
１２  中継設備
１３ａ２〜１３ａｎ  受信アンテナ
１４ａ２〜１４ａｎ  受信設備
１６ａ２〜１６ａｎ  送信アンテナ
１７ａ２〜１７ａｎ  送信設備
１８ａ１、１８ａ２、１８ｂ２、・・・、１８ａｎ、１８ｂｎ  監視装置
２０  施工／保守事業者Ｗｅｂブラウザシステム
１ａ１〜２１ａｎ  Ｗｅｂブラウザ端末２
２２  放送局側Ｗｅｂブラウザシステム
３０、４１、５１、７０、１０５  コンピュータ
３１  大容量記憶装置
３２  コンテンツデータベース
３３  出向者支援用リレーショナルデータベース
３４、４０、５０、６０、７７、１０２  メモリ
３５  Ｗｅｂサーバ
３６  プログラム
３７、４４、５４  ルータ
３８、４６、５５、８０  アドレス・鍵管理ファイル
４２、５２、７１  ディスプレイ
４５  業務スケジュール管理データベース
４３、５３、７２  入力部
７３  無線通信インタフェース
７４  ＧＰＳ受信器
１００ａ１〜１００ａｎ  車両
１０１ａ１〜１０１ａｎ  Ｗｅｂブラウザ機能搭載型ナビゲーション端末
１０３  ナビゲーション用プログラム
１１０  地図画像記憶部
１１１  音声出力部
１１２  プリンタ
【図１】
0003883457.tif 000002
【図２】
0003883457.tif 000003
【図３】
0003883457.tif 000004
【図４】
0003883457.tif 000005
【図５】
0003883457.tif 000006
【図６】
0003883457.tif 000007
【図７】
0003883457.tif 000008
【図８】
0003883457.tif 000009
【図９】
0003883457.tif 000010
【図１０】
0003883457.tif 000011
【図１１】
0003883457.tif 000012
【図１２】
0003883457.tif 000013
【図１３】
0003883457.tif 000014
【図１４】
0003883457.tif 000015
【図１５】
0003883457.tif 000016
【図１６】
0003883457.tif 000017
【図１７】
0003883457.tif 000018
【図１８】
0003883457.tif 000019
【図１９】
0003883457.tif 000020
【図２０】
0003883457.tif 000021
【図２１】
0003883457.tif 000022